(57)【特許請求の範囲】
【請求項１】
ワイヤレス通信のための方法であって、
ユーザ機器（ＵＥ）によって、フレームの第１のサブフレームおよび第２のサブフレームにおいて１次同期信号（ＰＳＳ）および２次同期信号（ＳＳＳ）のセットを受信することと、
ここにおいて、前記第１のサブフレームにおいて、前記ＳＳＳは、前記ＰＳＳが受信される前記第１のサブフレームのシンボルの後、および他の同期信号のセットが受信される前記第１のサブフレームのシンボルのセットの後にある、前記第１のサブフレームのシンボル中で受信され、
ここにおいて、前記フレームの前記第２のサブフレームでは、前記ＳＳＳは、前記ＰＳＳが受信される前記第２のサブフレームのシンボルの前にある、前記第２のサブフレームのシンボル中で受信される、
前記ＵＥによって、前記第１のサブフレームにおいて受信された前記ＰＳＳおよび前記ＳＳＳに少なくとも部分的に基づいて基地局と同期することと
を備える、方法。
【請求項２】
前記フレームの前記第２のサブフレームにおいて前記ＰＳＳおよび前記ＳＳＳを受信すること
をさらに備え、
ここにおいて、前記ＳＳＳは、他の同期信号の前記セットが受信される前記第２のサブフレームのシンボルのセットのさらに前にある、前記第２のサブフレームの前記シンボル中で受信され、
ここにおいて、前記第２のサブフレームが前記第１のサブフレームの前にあり、
ここにおいて、前記ユーザ機器は、前記第２のサブフレームにおいて受信された前記ＰＳＳまたは前記ＳＳＳに少なくとも部分的に基づいて前記基地局と同期するように構成される、
請求項１に記載の方法。
【請求項３】
前記第１のサブフレーム内で、
前記ＰＳＳおよび前記ＳＳＳが受信される前記シンボルは、第１の特定のロケーションにあり、
他の同期信号の前記セットが受信されるシンボルの前記セットは、第２の特定のロケーションにあり、
前記第２のサブフレーム内で、
他の同期信号の前記セットが受信されるシンボルの前記セットは、前記第１の特定のロケーションにあり、
前記ＰＳＳおよび前記ＳＳＳが受信される前記シンボルは、前記第２の特定のロケーションにある、
請求項２に記載の方法。
【請求項４】
前記第１のサブフレーム内で、
他の同期信号の前記セット中に含まれる、他のＰＳＳは、他の同期信号の前記セット中に含まれる、他のＳＳＳが受信されるシンボルの前にある、前記第２の特定のロケーションにあるシンボル中で受信され、
前記第２のサブフレーム内で、
他の同期信号の前記セット中に含まれる、前記他のＰＳＳは、他の同期信号の前記セット中に含まれる、前記他のＳＳＳが受信されるシンボルの後にある、前記第１の特定のロケーションにあるシンボル中で受信される、
請求項３に記載の方法。
【請求項５】
前記フレームの第３のサブフレームにおいて前記ＰＳＳおよび前記ＳＳＳを受信すること
をさらに備え、
ここにおいて、前記ＳＳＳは、前記ＰＳＳが受信される前記第３のサブフレームのシンボルの後、および他の同期信号の前記セットが受信される前記第３のサブフレームのシンボルのセットの後にある、前記第３のサブフレームのシンボル中で受信され、
ここにおいて、前記第３のサブフレームが前記第１のサブフレームの後にあり、
ここにおいて、前記ユーザ機器は、前記第３のサブフレームにおいて受信された前記ＰＳＳまたは前記ＳＳＳに少なくとも部分的に基づいて前記基地局と同期するように構成される、
請求項１に記載の方法。
【請求項６】
ワイヤレス通信のための方法であって、
基地局によって、前記基地局に関連するセル識別子グループに少なくとも部分的に基づいて２次同期信号（ＳＳＳ）を生成することと、
前記基地局によって、フレームの第１のサブフレームおよび第２のサブフレームにおいて前記ＳＳＳおよび１次同期信号（ＰＳＳ）のセットを送信することと、
ここにおいて、前記第１のサブフレームにおいて、前記ＳＳＳは、前記ＰＳＳが送信される前記第１のサブフレームのシンボルの後、および他の同期信号のセットが送信される前記第１のサブフレームのシンボルのセットの後にある、前記第１のサブフレームのシンボル中で送信され、
ここにおいて、前記フレームの前記第２のサブフレームでは、前記ＳＳＳは、前記ＰＳＳが送信される前記第２のサブフレームのシンボルの前にある、前記第２のサブフレームのシンボル中で送信される、
を備える、方法。
【請求項７】
前記第２のサブフレームにおいて前記ＰＳＳおよび前記ＳＳＳを送信すること
をさらに備え、
ここにおいて、前記ＳＳＳは、他の同期信号の前記セットが送信される前記他のサブフレームのシンボルのセットのさらに前にある、前記第２のサブフレームの前記シンボル中で送信され、
ここにおいて、前記第２のサブフレームが前記第１のサブフレームの前にあり、
ここにおいて、ユーザ機器は、前記第２のサブフレームにおいて送信された前記ＰＳＳまたは前記ＳＳＳに少なくとも部分的に基づいて前記基地局と同期するように構成される、
請求項６に記載の方法。
【請求項８】
前記第１のサブフレーム内で、
前記ＰＳＳおよび前記ＳＳＳが送信される前記シンボルは、第１の特定のロケーションにあり、
他の同期信号の前記セットが送信されるシンボルの前記セットは、第２の特定のロケーションにあり、
前記第２のサブフレーム内で、
他の同期信号の前記セットが送信されるシンボルの前記セットは、前記第１の特定のロケーションにあり、
前記ＰＳＳ前記ＳＳＳが送信される前記シンボルは、前記第２の特定のロケーションにある、
請求項７に記載の方法。
【請求項９】
前記第１のサブフレーム内で、
他の同期信号の前記セット中に含まれる、他のＰＳＳは、他の同期信号の前記セット中に含まれる、他のＳＳＳが送信されるシンボルの前にある、前記第２の特定のロケーションにあるシンボル中で送信され、
前記第２のサブフレーム内で、
他の同期信号の前記セット中に含まれる、前記他のＰＳＳは、他の同期信号の前記セット中に含まれる、前記他のＳＳＳが送信されるシンボルの後にある、前記第１の特定のロケーションにあるシンボル中で送信される、
請求項８に記載の方法。
【請求項１０】
前記フレームの第３のサブフレームにおいて前記ＰＳＳおよび前記ＳＳＳを送信すること
をさらに備え、
ここにおいて、前記ＳＳＳは、前記ＰＳＳが送信される前記第３のサブフレームのシンボルの後、および他の同期信号の前記セットが送信される前記第３のサブフレームのシンボルのセットの後にある、前記第３のサブフレームのシンボル中で送信され、
ここにおいて、前記第３のサブフレームが前記第１のサブフレームの後にあり、
ここにおいて、ユーザ機器は、前記第３のサブフレームにおいて送信された前記ＰＳＳまたは前記ＳＳＳに少なくとも部分的に基づいて前記基地局と同期するように構成される、
請求項６に記載の方法。
【請求項１１】
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
フレームの第１のサブフレームおよび第２のサブフレームにおいて１次同期信号（ＰＳＳ）および２次同期信号（ＳＳＳ）のセットを受信することと、
ここにおいて、前記第１のサブフレームにおいて、前記ＳＳＳは、前記ＰＳＳが受信される前記第１のサブフレームのシンボルの後、および他の同期信号のセットが受信される前記第１のサブフレームのシンボルのセットの後にある、前記第１のサブフレームのシンボル中で受信され、
ここにおいて、前記フレームの前記第２のサブフレームでは、前記ＳＳＳは、前記ＰＳＳが受信される前記第２のサブフレームのシンボルの前にある、前記第２のサブフレームのシンボル中で受信される、
前記第１のサブフレームにおいて受信された前記ＰＳＳおよび前記ＳＳＳに少なくとも部分的に基づいて前記装置を基地局と同期させることと
を行わせるように動作可能である、装置。
【請求項１２】
前記命令が、
前記フレームの前記第２のサブフレームにおいて前記ＰＳＳおよび前記ＳＳＳを受信する
ために前記プロセッサによってさらに実行可能であり、
ここにおいて、前記ＳＳＳは、他の同期信号の前記セットが受信される前記第２のサブフレームのシンボルのセットのさらに前にある、前記第２のサブフレームの前記シンボル中で受信され、
ここにおいて、前記第２のサブフレームが前記第１のサブフレームの前にあり、
ここにおいて、前記装置は、前記第２のサブフレームにおいて受信された前記ＰＳＳまたは前記ＳＳＳに少なくとも部分的に基づいて前記基地局と同期するように構成される、
請求項１１に記載の装置。
【請求項１３】
前記第１のサブフレーム内で、
前記ＰＳＳおよび前記ＳＳＳが受信される前記シンボルは、第１の特定のロケーションにあり、
他の同期信号の前記セットが受信されるシンボルの前記セットは、第２の特定のロケーションにあり、
前記第２のサブフレーム内で、
他の同期信号の前記セットが受信されるシンボルの前記セットは、前記第１の特定のロケーションにあり、
前記ＰＳＳおよび前記ＳＳＳが受信される前記シンボルは、前記第２の特定のロケーションにある、
請求項１２に記載の装置。
【請求項１４】
前記第１のサブフレーム内で、
他の同期信号の前記セット中に含まれる、他のＰＳＳは、他の同期信号の前記セット中に含まれる、他のＳＳＳが受信されるシンボルの前にある、前記第２の特定のロケーションにあるシンボル中で受信され、
前記第２のサブフレーム内で、
他の同期信号の前記セット中に含まれる、前記他のＰＳＳは、他の同期信号の前記セット中に含まれる、前記他のＳＳＳが受信されるシンボルの後にある、前記第１の特定のロケーションにあるシンボル中で受信される、
請求項１３に記載の装置。
【請求項１５】
前記命令が、
前記フレームの第３のサブフレームにおいて前記ＰＳＳおよび前記ＳＳＳを受信するために前記プロセッサによってさらに実行可能であり、
ここにおいて、前記ＳＳＳは、前記ＰＳＳが受信される前記第３のサブフレームのシンボルの後、および他の同期信号の前記セットが受信される前記第３のサブフレームのシンボルのセットの後にある、前記第３のサブフレームのシンボル中で受信され、
ここにおいて、前記第３のサブフレームが前記第１のサブフレームの後にあり、
ここにおいて、前記装置は、前記第３のサブフレームにおいて受信された前記ＰＳＳまたは前記ＳＳＳに少なくとも部分的に基づいて前記基地局と同期するように構成される、
請求項１１に記載の装置。
【請求項１６】
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
基地局に関連するセル識別子グループに少なくとも部分的に基づいて２次同期信号（ＳＳＳ）を生成することと、
フレームの第１のサブフレームおよび第２のサブフレームにおいて前記ＳＳＳおよび１次同期信号（ＰＳＳ）のセットを送信することと、
ここにおいて、前記第１のサブフレームにおいて、前記ＳＳＳは、前記ＰＳＳが送信される前記第１のサブフレームのシンボルの後、および他の同期信号のセットが送信される前記第１のサブフレームのシンボルのセットの後にある、前記第１のサブフレームのシンボル中で送信され、
ここにおいて、前記フレームの前記第２のサブフレームでは、前記ＳＳＳは、前記ＰＳＳが送信される前記第２のサブフレームのシンボルの前にある、前記第２のサブフレームのシンボル中で送信される、
を行わせるように動作可能である、装置。
【請求項１７】
前記命令が、
前記第２のサブフレームにおいて前記ＰＳＳおよび前記ＳＳＳを送信する
ために前記プロセッサによってさらに実行可能であり、
ここにおいて、前記ＳＳＳは、他の同期信号の前記セットが送信される前記他のサブフレームのシンボルのセットのさらに前にある、前記第２のサブフレームの前記シンボル中で送信され、
ここにおいて、前記第２のサブフレームが前記第１のサブフレームの前にあり、
ここにおいて、前記装置は、前記第２のサブフレームにおいて送信された前記ＰＳＳまたは前記ＳＳＳに少なくとも部分的に基づいて基地局と同期するように構成される、請求項１６に記載の装置。
【請求項１８】
前記第１のサブフレーム内で、
前記ＰＳＳおよび前記ＳＳＳが送信される前記シンボルは、第１の特定のロケーションにあり、
他の同期信号の前記セットが送信されるシンボルの前記セットは、第２の特定のロケーションにあり、
前記第２のサブフレーム内で、
他の同期信号の前記セットが送信されるシンボルの前記セットは、前記第１の特定のロケーションにあり、
前記ＰＳＳ前記ＳＳＳが送信される前記シンボルは、前記第２の特定のロケーションにある、
請求項１７に記載の装置。
【請求項１９】
前記第１のサブフレーム内で、
他の同期信号の前記セット中に含まれる、他のＰＳＳは、他の同期信号の前記セット中に含まれる、他のＳＳＳが送信されるシンボルの前にある、前記第２の特定のロケーションにあるシンボル中で送信され、
前記第２のサブフレーム内で、
他の同期信号の前記セット中に含まれる、前記他のＰＳＳは、他の同期信号の前記セット中に含まれる、前記他のＳＳＳが送信されるシンボルの後にある、前記第１の特定のロケーションにあるシンボル中で送信される、
請求項１８に記載の装置。
【請求項２０】
前記命令が、
前記フレームの第３のサブフレームにおいて前記ＰＳＳおよび前記ＳＳＳを送信するために前記プロセッサによってさらに実行可能であり、
ここにおいて、前記ＳＳＳは、前記ＰＳＳが送信される前記第３のサブフレームのシンボルの後、および他の同期信号の前記セットが送信される前記第３のサブフレームのシンボルのセットの後にある、前記第３のサブフレームのシンボル中で送信され、
ここにおいて、前記第３のサブフレームが前記第１のサブフレームの後にあり、
ここにおいて、前記装置は、前記第３のサブフレームにおいて送信された前記ＰＳＳまたは前記ＳＳＳに少なくとも部分的に基づいて前記基地局と同期するように構成される、
請求項１６に記載の装置。
【請求項２１】
ワイヤレス通信のためのコードを記憶する非一時的コンピュータ可読記憶媒体であって、前記コードが、
フレームの第１のサブフレームおよび第２のサブフレームにおいて１次同期信号（ＰＳＳ）および２次同期信号（ＳＳＳ）のセットを受信することと、
ここにおいて、前記第１のサブフレームにおいて、前記ＳＳＳは、前記ＰＳＳが受信される前記第１のサブフレームのシンボルの後、および他の同期信号のセットが受信される前記第１のサブフレームのシンボルのセットの後にある、前記第１のサブフレームのシンボル中で受信され、
ここにおいて、前記フレームの前記第２のサブフレームでは、前記ＳＳＳは、前記ＰＳＳが受信される前記第２のサブフレームのシンボルの前にある、前記第２のサブフレームのシンボル中で受信される、
前記第１のサブフレームにおいて受信された前記ＰＳＳおよび前記ＳＳＳに少なくとも部分的に基づいてユーザ機器を基地局と同期させることと
を行うためにプロセッサによって実行可能な命令を備える、非一時的コンピュータ可読記憶媒体。
【請求項２２】
前記命令が、
前記第２のサブフレームにおいて前記ＰＳＳおよび前記ＳＳＳを受信する
ために前記プロセッサによってさらに実行可能であり、
ここにおいて、前記ＳＳＳは、他の同期信号の前記セットが受信される前記第２のサブフレームのシンボルのセットのさらに前にある、前記第２のサブフレームの前記シンボル中で受信され、
ここにおいて、前記第２のサブフレームが前記第１のサブフレームの前にあり、
ここにおいて、前記ユーザ機器は、前記第２のサブフレームにおいて受信された前記ＰＳＳまたは前記ＳＳＳに少なくとも部分的に基づいて前記基地局と同期するように構成される、
請求項２１に記載の非一時的コンピュータ可読記憶媒体。
【請求項２３】
前記第１のサブフレーム内で、
前記ＰＳＳおよび前記ＳＳＳが受信される前記シンボルは、第１の特定のロケーションにあり、
他の同期信号の前記セットが受信されるシンボルの前記セットは、第２の特定のロケーションにあり、
前記第２のサブフレーム内で、
他の同期信号の前記セットが受信されるシンボルの前記セットは、前記第１の特定のロケーションにあり、
前記ＰＳＳおよび前記ＳＳＳが受信される前記シンボルは、前記第２の特定のロケーションにある、
請求項２２に記載の非一時的コンピュータ可読記憶媒体。
【請求項２４】
前記第１のサブフレーム内で、
他の同期信号の前記セット中に含まれる、他のＰＳＳは、他の同期信号の前記セット中に含まれる、他のＳＳＳが受信されるシンボルの前にある、前記第２の特定のロケーションにあるシンボル中で受信され、
前記第２のサブフレーム内で、
他の同期信号の前記セット中に含まれる、前記他のＰＳＳは、他の同期信号の前記セット中に含まれる、前記他のＳＳＳが受信されるシンボルの後にある、前記第１の特定のロケーションにあるシンボル中で受信される、
請求項２３に記載の非一時的コンピュータ可読記憶媒体。
【請求項２５】
前記命令が、
前記フレームの第３のサブフレームにおいて前記ＰＳＳおよび前記ＳＳＳを受信するために前記プロセッサによってさらに実行可能であり、
ここにおいて、前記ＳＳＳは、前記ＰＳＳが受信される前記第３のサブフレームのシンボルの後、および他の同期信号の前記セットが受信される前記第３のサブフレームのシンボルのセットの後にある、前記第３のサブフレームのシンボル中で受信され、
ここにおいて、前記第３のサブフレームが前記第１のサブフレームの後にあり、
ここにおいて、前記ユーザ機器は、前記第３のサブフレームにおいて受信された前記ＰＳＳまたは前記ＳＳＳに少なくとも部分的に基づいて前記基地局と同期するように構成される、
請求項２１に記載の非一時的コンピュータ可読記憶媒体。
【請求項２６】
ワイヤレス通信のためのコードを記憶する非一時的コンピュータ可読記憶媒体であって、前記コードが、
基地局に関連するセル識別子グループに少なくとも部分的に基づいて２次同期信号（ＳＳＳ）を生成することと、
フレームの第１のサブフレームおよび第２のサブフレームにおいて前記ＳＳＳおよび１次同期信号（ＰＳＳ）のセットを送信することと、
ここにおいて、前記第１のサブフレームにおいて、前記ＳＳＳは、前記ＰＳＳが送信される前記第１のサブフレームのシンボルの後、および他の同期信号のセットが送信される前記第１のサブフレームのシンボルのセットの後にある、前記第１のサブフレームのシンボル中で送信され、
ここにおいて、前記フレームの前記第２のサブフレームでは、前記ＳＳＳは、前記ＰＳＳが送信される前記第２のサブフレームのシンボルの前にある、前記第２のサブフレームのシンボル中で送信される、
を行うためにプロセッサによって実行可能な命令を備える、非一時的コンピュータ可読記憶媒体。
【請求項２７】
前記命令が、
前記第２のサブフレームにおいて前記ＰＳＳおよび前記ＳＳＳを送信する
ために前記プロセッサによってさらに実行可能であり、
ここにおいて、前記ＳＳＳは、他の同期信号の前記セットが送信される前記他のサブフレームのシンボルのセットのさらに前にある、前記第２のサブフレームの前記シンボル中で送信され、
ここにおいて、前記第２のサブフレームが前記第１のサブフレームの前にあり、
ここにおいて、ユーザ機器は、前記第２のサブフレームにおいて送信された前記ＰＳＳまたは前記ＳＳＳに少なくとも部分的に基づいて前記基地局と同期するように構成される、
請求項２６に記載の非一時的コンピュータ可読記憶媒体。
【請求項２８】
前記第１のサブフレーム内で、
前記ＰＳＳおよび前記ＳＳＳが送信される前記シンボルは、第１の特定のロケーションにあり、
他の同期信号の前記セットが送信されるシンボルの前記セットは、第２の特定のロケーションにあり、
前記第２のサブフレーム内で、
他の同期信号の前記セットが送信されるシンボルの前記セットは、前記第１の特定のロケーションにあり、
前記ＰＳＳ前記ＳＳＳが送信される前記シンボルは、前記第２の特定のロケーションにある、
請求項２７に記載の非一時的コンピュータ可読記憶媒体。
【請求項２９】
前記第１のサブフレーム内で、
他の同期信号の前記セット中に含まれる、他のＰＳＳは、他の同期信号の前記セット中に含まれる、他のＳＳＳが送信されるシンボルの前にある、前記第２の特定のロケーションにあるシンボル中で送信され、
前記第２のサブフレーム内で、
他の同期信号の前記セット中に含まれる、前記他のＰＳＳは、他の同期信号の前記セット中に含まれる、前記他のＳＳＳが送信されるシンボルの後にある、前記第１の特定のロケーションにあるシンボル中で送信される、
請求項２８に記載の非一時的コンピュータ可読記憶媒体。
【請求項３０】
前記命令が、
前記フレームの第３のサブフレームにおいて前記ＰＳＳおよび前記ＳＳＳを送信するために前記プロセッサによってさらに実行可能であり、
ここにおいて、前記ＳＳＳは、前記ＰＳＳが送信される前記第３のサブフレームのシンボルの後、および他の同期信号の前記セットが送信される前記第３のサブフレームのシンボルのセットの後にある、前記第３のサブフレームのシンボル中で送信され、
ここにおいて、前記第３のサブフレームが前記第１のサブフレームの後にあり、
ここにおいて、ユーザ機器は、前記第３のサブフレームにおいて送信された前記ＰＳＳまたは前記ＳＳＳに少なくとも部分的に基づいて前記基地局と同期するように構成される、
請求項２６に記載の非一時的コンピュータ可読記憶媒体。
【発明の詳細な説明】
【技術分野】
【０００１】
[0001]以下は、一般にワイヤレス通信に関し、より詳細には広帯域カバレージ拡張のための同期に関する。
【背景技術】
【０００２】
[0002]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム、または新しい無線（ＮＲ）システム）がある。ワイヤレス多元接続通信システムは、場合によってはユーザ機器（ＵＥ）として知られていることがある、複数の通信デバイスのための通信を各々が同時にサポートする、いくつかの基地局またはアクセスネットワークノードを含み得る。
【０００３】
[0003]時々、ＵＥは、ワイヤレスネットワークへのアクセスを獲得するために初期アクセス（または初期収集）プロシージャを実行する必要があり得る。初期アクセスプロシージャの一部として、ＵＥは、ワイヤレスネットワークの、基地局などのネットワークアクセスデバイスによって送信された同期チャネルを探索する必要があり得る。ＵＥはまた、基地局から物理ブロードキャストチャネル（ＰＢＣＨ）送信において送信され得るマスタ情報ブロック（ＭＩＢ）または１つまたは複数のシステム情報ブロック（たとえば、ＳＩＢ１、ＳＩＢ２など）中に含まれている情報など、システム情報の様々な項目を収集し得る。
【発明の概要】
【０００４】
[0004]説明される技法は、広帯域カバレージ拡張のための同期をサポートする、改善された方法、システム、デバイス、または装置に関する。概して、説明される技法は、ユーザ機器（ＵＥ）によるセル収集の持続時間を低減することを提供する。従来のセル収集技法は、リッスンビフォアトーク（ＬＢＴ）プロシージャを使用するシステムにおいて動作することを助長しない、ＵＥと基地局との間の周波数不整合により３つ以上のシンボルをコヒーレントに組み合わせることができない、雑音を低減するようにシンボルを効果的に組み合わせない、およびそれらの組合せである。本明細書で説明される例は、ワンショット検出の確率を改善する１次同期信号（ＰＳＳ）検出技法を提供し得る。その上、本明細書で説明される技法は、サブフレームタイミングと基準信号のためのスクランブリングルールとを決定するために使用され得る２次同期信号（ＳＳＳ）シーケンス中で、セル識別子グループ、基準信号のためのサブフレームオフセット、またはその両方を符号化し得る。
【０００５】
[0005]ワイヤレス通信の方法が説明される。本方法は、ＵＥによって、フレームのサブフレーム中で１次同期信号ＰＳＳおよびＳＳＳを受信することと、ここにおいて、ＳＳＳは、ＰＳＳがその中で受信されるサブフレームのシンボルの後、および他の同期信号のセットがその中で受信されるサブフレームのシンボルのセットの後にある、サブフレームのシンボル中で受信される、ＵＥによって、サブフレーム中で受信されたＰＳＳおよびＳＳＳに少なくとも部分的に基づいて基地局と同期することとを含み得る。
【０００６】
[0006]ワイヤレス通信のための装置が説明される。本装置は、フレームのサブフレーム中で１次同期信号ＰＳＳおよびＳＳＳを受信するための手段と、ここにおいて、ＳＳＳは、ＰＳＳがその中で受信されるサブフレームのシンボルの後、および他の同期信号のセットがその中で受信されるサブフレームのシンボルのセットの後にある、サブフレームのシンボル中で受信される、サブフレーム中で受信されたＰＳＳおよびＳＳＳに少なくとも部分的に基づいて本装置を基地局と同期させるための手段とを含み得る。
【０００７】
[0007]ワイヤレス通信のための別の装置が説明される。本装置は、プロセッサと、プロセッサと電子通信しているメモリと、メモリに記憶された命令とを含み得る。命令は、プロセッサに、フレームのサブフレーム中で１次同期信号ＰＳＳおよびＳＳＳを受信することと、ここにおいて、ＳＳＳは、ＰＳＳがその中で受信されるサブフレームのシンボルの後、および他の同期信号のセットがその中で受信されるサブフレームのシンボルのセットの後にある、サブフレームのシンボル中で受信される、サブフレーム中で受信されたＰＳＳおよびＳＳＳに少なくとも部分的に基づいて本装置を基地局と同期させることとを行わせるように動作可能であり得る。
【０００８】
[0008]ワイヤレス通信のための非一時的コンピュータ可読媒体が説明される。本非一時的コンピュータ可読媒体は、プロセッサに、フレームのサブフレーム中で１次同期信号ＰＳＳおよびＳＳＳを受信することと、ここにおいて、ＳＳＳは、ＰＳＳがその中で受信されるサブフレームのシンボルの後、および他の同期信号のセットがその中で受信されるサブフレームのシンボルのセットの後にある、サブフレームのシンボル中で受信される、サブフレーム中で受信されたＰＳＳおよびＳＳＳに少なくとも部分的に基づいてＵＥを基地局と同期させることとを行わせるように動作可能な命令を含み得る。
【０００９】
[0009]上記で説明された方法、装置、および非一時的コンピュータ可読媒体のいくつかの例は、フレームの他のサブフレーム中でＰＳＳおよびＳＳＳを受信するためのプロセス、特徴、手段、または命令をさらに含み得、ここにおいて、ＳＳＳは、ＰＳＳがその中で受信される他のサブフレームのシンボルの前、および他の同期信号のセットがその中で受信される他のサブフレームのシンボルのセットの前にある、他のサブフレームのシンボル中で受信され、ここにおいて、他のサブフレームがサブフレームの前にあり、ここにおいて、ＵＥは、他のサブフレーム中で受信されたＰＳＳまたはＳＳＳに少なくとも部分的に基づいて基地局と同期するように構成される。
【００１０】
[0010]上記で説明された方法、装置、および非一時的コンピュータ可読媒体のいくつかの例では、サブフレーム内で、ＰＳＳおよびＳＳＳがその中で受信されるシンボルは第１の特定のロケーションにあり、他の同期信号のセットがその中で受信されるシンボルのセットは第２の特定のロケーションにあり、他のサブフレーム内で、他の同期信号のセットがその中で受信されるシンボルのセットは第１の特定のロケーションにあり、ＰＳＳＳＳＳがその中で受信されるシンボルは第２の特定のロケーションにある。
【００１１】
[0011]上記で説明された方法、装置、および非一時的コンピュータ可読媒体のいくつかの例では、サブフレーム内で、他の同期信号のセット中に含まれる、他のＰＳＳは、他の同期信号のセット中に含まれる、他のＳＳＳがその中で受信されるシンボルの前にある、第２の特定のロケーションにあるシンボル中で受信され、他のサブフレーム内で、他の同期信号のセット中に含まれる、他のＰＳＳは、他の同期信号のセット中に含まれる、他のＳＳＳがその中で受信されるシンボルの後にある、第１の特定のロケーションにあるシンボル中で受信される。
【００１２】
[0012]上記で説明された方法、装置、および非一時的コンピュータ可読媒体のいくつかの例は、フレームの他のサブフレーム中でＰＳＳおよびＳＳＳを受信するためのプロセス、特徴、手段、または命令をさらに含み得、ここにおいて、ＳＳＳは、ＰＳＳがその中で受信される他のサブフレームのシンボルの後、および他の同期信号のセットがその中で受信である他のサブフレームのシンボルのセットの後にある、他のサブフレームのシンボル中で受信され、ここにおいて、他のサブフレームがサブフレームの後にあり、ここにおいて、ＵＥは、他のサブフレーム中で受信されたＰＳＳまたはＳＳＳに少なくとも部分的に基づいて基地局と同期するように構成される。
【００１３】
[0013]ワイヤレス通信の方法が説明される。本方法は、ＵＥによって、フレームのサブフレーム中でＰＳＳおよびＳＳＳを受信することと、ここにおいて、ＰＳＳがサブフレームの第１の複数の連続するシンボルの各々中で受信され、ここにおいて、ＳＳＳがサブフレームの第２の複数の連続するシンボルの各々中で受信され、ここにおいて、第２の複数の連続するシンボルがサブフレーム内の第１の複数の連続するシンボルの後にある、ＵＥによって、サブフレーム中で受信されたＰＳＳおよびＳＳＳに少なくとも部分的に基づいて基地局と同期することとを含み得る。
【００１４】
[0014]ワイヤレス通信のための装置が説明される。本装置は、フレームのサブフレーム中でＰＳＳおよびＳＳＳを受信するための手段と、ここにおいて、ＰＳＳがサブフレームの第１の複数の連続するシンボルの各々中で受信され、ここにおいて、ＳＳＳがサブフレームの第２の複数の連続するシンボルの各々中で受信され、ここにおいて、第２の複数の連続するシンボルがサブフレーム内の第１の複数の連続するシンボルの後にある、サブフレーム中で受信されたＰＳＳおよびＳＳＳに少なくとも部分的に基づいて本装置を基地局と同期させるための手段とを含み得る。
【００１５】
[0015]ワイヤレス通信のための別の装置が説明される。本装置は、プロセッサと、プロセッサと電子通信しているメモリと、メモリに記憶された命令とを含み得る。命令は、プロセッサに、フレームのサブフレーム中でＰＳＳおよびＳＳＳを受信することと、ここにおいて、ＰＳＳがサブフレームの第１の複数の連続するシンボルの各々中で受信され、ここにおいて、ＳＳＳがサブフレームの第２の複数の連続するシンボルの各々中で受信され、ここにおいて、第２の複数の連続するシンボルがサブフレーム内の第１の複数の連続するシンボルの後にある、サブフレーム中で受信されたＰＳＳおよびＳＳＳに少なくとも部分的に基づいて本装置を基地局と同期させることとを行わせるように動作可能であり得る。
【００１６】
[0016]ワイヤレス通信のための非一時的コンピュータ可読媒体が説明される。本非一時的コンピュータ可読媒体は、プロセッサに、フレームのサブフレーム中でＰＳＳおよびＳＳＳを受信することと、ここにおいて、ＰＳＳがサブフレームの第１の複数の連続するシンボルの各々中で受信され、ここにおいて、ＳＳＳがサブフレームの第２の複数の連続するシンボルの各々中で受信され、ここにおいて、第２の複数の連続するシンボルがサブフレーム内の第１の複数の連続するシンボルの後にある、サブフレーム中で受信されたＰＳＳおよびＳＳＳに少なくとも部分的に基づいてＵＥを基地局と同期させることとを行わせるように動作可能な命令を含み得る。
【００１７】
[0017]上記で説明された方法、装置、および非一時的コンピュータ可読媒体のいくつかの例では、第１の複数の連続するシンボルは、サブフレームの１４個以下の連続するシンボルを含む。
【００１８】
[0018]上記で説明された方法、装置、および非一時的コンピュータ可読媒体のいくつかの例では、第２の複数の連続するシンボルは、サブフレームの１４個以下の連続するシンボルを含む。
【００１９】
[0019]上記で説明された方法、装置、および非一時的コンピュータ可読媒体のいくつかの例は、ＳＳＳとＰＳＳに関連する仮説のセットとに少なくとも部分的に基づいて基地局に関連する物理セル識別情報を決定するためのプロセス、特徴、手段、または命令をさらに含み得、ここにおいて、ＵＥは、物理セル識別情報に少なくとも部分的に基づいて基地局と同期するように構成される。
【００２０】
[0020]上記で説明された方法、装置、および非一時的コンピュータ可読媒体のいくつかの例は、サブフレームの第１の複数の連続するシンボルのうちの１つ中で受信されたＰＳＳを、別のシンボル中で受信された他のＰＳＳと組み合わせるためのプロセス、特徴、手段、または命令をさらに含み得、ここにおいて、ＵＥは、ＰＳＳと他のＰＳＳとを組み合わせることに少なくとも部分的に基づいて基地局と同期するように構成される。
【００２１】
[0021]上記で説明された方法、装置、および非一時的コンピュータ可読媒体のいくつかの例では、ＰＳＳに関連するカバーコードシーケンスは、バイナリカバーコードである。
【００２２】
[0022]上記で説明された方法、装置、および非一時的コンピュータ可読媒体のいくつかの例では、ＳＳＳは、基地局に関連するセル識別子グループと、基準信号に関連するサブフレームオフセットとに関連する。
【００２３】
[0023]ワイヤレス通信の方法が説明される。本方法は、基地局によって、基地局に関連するセル識別子グループに少なくとも部分的に基づいてＳＳＳを生成することと、基地局によって、フレームのサブフレーム中でＳＳＳおよびＰＳＳを送信することと、ここにおいて、ＳＳＳは、ＰＳＳがその中で送信されるサブフレームのシンボルの後、および他の同期信号のセットがその中で送信されるサブフレームのシンボルのセットの後にある、サブフレームのシンボル中で送信される、を含み得る。
【００２４】
[0024]ワイヤレス通信のための装置が説明される。本装置は、基地局に関連するセル識別子グループに少なくとも部分的に基づいてＳＳＳを生成するための手段と、フレームのサブフレーム中でＳＳＳおよびＰＳＳを送信するための手段と、ここにおいて、ＳＳＳは、ＰＳＳがその中で送信されるサブフレームのシンボルの後、および他の同期信号のセットがその中で送信されるサブフレームのシンボルのセットの後にある、サブフレームのシンボル中で送信される、を含み得る。
【００２５】
[0025]ワイヤレス通信のための別の装置が説明される。本装置は、プロセッサと、プロセッサと電子通信しているメモリと、メモリに記憶された命令とを含み得る。命令は、プロセッサに、基地局に関連するセル識別子グループに少なくとも部分的に基づいてＳＳＳを生成することと、フレームのサブフレーム中でＳＳＳおよびＰＳＳを送信することと、ここにおいて、ＳＳＳは、ＰＳＳがその中で送信されるサブフレームのシンボルの後、および他の同期信号のセットがその中で送信されるサブフレームのシンボルのセットの後にある、サブフレームのシンボル中で送信される、を行わせるように動作可能であり得る。
【００２６】
[0026]ワイヤレス通信のための非一時的コンピュータ可読媒体が説明される。本非一時的コンピュータ可読媒体は、プロセッサに、基地局に関連するセル識別子グループに少なくとも部分的に基づいてＳＳＳを生成することと、フレームのサブフレーム中でＳＳＳおよびＰＳＳを送信することと、ここにおいて、ＳＳＳは、ＰＳＳがその中で送信されるサブフレームのシンボルの後、および他の同期信号のセットがその中で送信されるサブフレームのシンボルのセットの後にある、サブフレームのシンボル中で送信される、を行わせるように動作可能な命令を含み得る。
【００２７】
[0027]上記で説明された方法、装置、および非一時的コンピュータ可読媒体のいくつかの例は、フレームの他のサブフレーム中でＰＳＳおよびＳＳＳを送信するためのプロセス、特徴、手段、または命令をさらに含み得、ここにおいて、ＳＳＳは、ＰＳＳがその中で送信される他のサブフレームのシンボルの前、および他の同期信号のセットがその中で送信される他のサブフレームのシンボルのセットの前にある、他のサブフレームのシンボル中で送信され、ここにおいて、他のサブフレームがサブフレームの前にあり、ここにおいて、ユーザ機器は、他のサブフレーム中で送信されたＰＳＳまたはＳＳＳに少なくとも部分的に基づいて基地局と同期するように構成される。
【００２８】
[0028]上記で説明された方法、装置、および非一時的コンピュータ可読媒体のいくつかの例では、サブフレーム内で、ＰＳＳおよびＳＳＳがその中で送信されるシンボルは第１の特定のロケーションにあり、他の同期信号のセットがその中で送信されるシンボルのセットは第２の特定のロケーションにあり、他のサブフレーム内で、他の同期信号のセットがその中で送信されるシンボルのセットは第１の特定のロケーションにあり、ＰＳＳＳＳＳがその中で送信されるシンボルは第２の特定のロケーションにある。
【００２９】
[0029]上記で説明された方法、装置、および非一時的コンピュータ可読媒体のいくつかの例では、サブフレーム内で、他の同期信号のセット中に含まれる、他のＰＳＳは、他の同期信号のセット中に含まれる、他のＳＳＳがその中で送信されるシンボルの前にある、第２の特定のロケーションにあるシンボル中で送信され、他のサブフレーム内で、他の同期信号のセット中に含まれる、他のＰＳＳは、他の同期信号のセット中に含まれる、他のＳＳＳがその中で送信されるシンボルの後にある、第１の特定のロケーションにあるシンボル中で送信される。
【００３０】
[0030]上記で説明された方法、装置、および非一時的コンピュータ可読媒体のいくつかの例は、フレームの他のサブフレーム中でＰＳＳおよびＳＳＳを送信するためのプロセス、特徴、手段、または命令をさらに含み得、ここにおいて、ＳＳＳは、ＰＳＳがその中で送信される他のサブフレームのシンボルの後、および他の同期信号のセットがその中で送信される他のサブフレームのシンボルのセットの後にある、他のサブフレームのシンボル中で送信され、ここにおいて、他のサブフレームがサブフレームの後にあり、ここにおいて、ユーザ機器は、他のサブフレーム中で送信されたＰＳＳまたはＳＳＳに少なくとも部分的に基づいて基地局と同期するように構成される。
【００３１】
[0031]ワイヤレス通信の方法が説明される。本方法は、基地局によって、基地局に関連するセル識別子グループに少なくとも部分的に基づいてＳＳＳを生成することと、基地局によって、フレームのサブフレーム中でＳＳＳおよびＰＳＳを送信することと、ここにおいて、ＰＳＳがサブフレームの第１の複数の連続するシンボルの各々中で送信され、ここにおいて、ＳＳＳがサブフレームの第２の複数の連続するシンボルの各々中で送信され、ここにおいて、第２の複数の連続するシンボルがサブフレーム内の第１の複数の連続するシンボルの後にある、を含み得る。
【００３２】
[0032]ワイヤレス通信のための装置が説明される。本装置は、基地局に関連するセル識別子グループに少なくとも部分的に基づいてＳＳＳを生成するための手段と、フレームのサブフレーム中でＳＳＳおよびＰＳＳを送信するための手段と、ここにおいて、ＰＳＳがサブフレームの第１の複数の連続するシンボルの各々中で送信され、ここにおいて、ＳＳＳがサブフレームの第２の複数の連続するシンボルの各々中で送信され、ここにおいて、第２の複数の連続するシンボルがサブフレーム内の第１の複数の連続するシンボルの後にある、を含み得る。
【００３３】
[0033]ワイヤレス通信のための別の装置が説明される。本装置は、プロセッサと、プロセッサと電子通信しているメモリと、メモリに記憶された命令とを含み得る。命令は、プロセッサに、基地局に関連するセル識別子グループに少なくとも部分的に基づいてＳＳＳを生成することと、フレームのサブフレーム中でＳＳＳおよびＰＳＳを送信することと、ここにおいて、ＰＳＳがサブフレームの第１の複数の連続するシンボルの各々中で送信され、ここにおいて、ＳＳＳがサブフレームの第２の複数の連続するシンボルの各々中で送信され、ここにおいて、第２の複数の連続するシンボルがサブフレーム内の第１の複数の連続するシンボルの後にある、を行わせるように動作可能であり得る。
【００３４】
[0034]ワイヤレス通信のための非一時的コンピュータ可読媒体が説明される。本非一時的コンピュータ可読媒体は、プロセッサに、基地局に関連するセル識別子グループに少なくとも部分的に基づいてＳＳＳを生成することと、フレームのサブフレーム中でＳＳＳおよびＰＳＳを送信することと、ここにおいて、ＰＳＳがサブフレームの第１の複数の連続するシンボルの各々中で送信され、ここにおいて、ＳＳＳがサブフレームの第２の複数の連続するシンボルの各々中で送信され、ここにおいて、第２の複数の連続するシンボルがサブフレーム内の第１の複数の連続するシンボルの後にある、を行わせるように動作可能な命令を含み得る。
【００３５】
[0035]上記で説明された方法、装置、および非一時的コンピュータ可読媒体のいくつかの例では、第１の複数の連続するシンボルは、サブフレームの１４個以下の連続するシンボルを含む。
【００３６】
[0036]上記で説明された方法、装置、および非一時的コンピュータ可読媒体のいくつかの例では、第２の複数の連続するシンボルは、サブフレームの１４個以下の連続するシンボルを含む。
【００３７】
[0037]上記で説明された方法、装置、および非一時的コンピュータ可読媒体のいくつかの例では、ＰＳＳに関連するカバーコードシーケンスは、バイナリカバーコードである。
【００３８】
[0038]上記で説明された方法、装置、および非一時的コンピュータ可読媒体のいくつかの例では、ＳＳＳは、基地局に関連するセル識別子グループと、基準信号に関連するサブフレームオフセットとに関連する。
【図面の簡単な説明】
【００３９】
【図１】[0039]本開示の態様による、広帯域カバレージ拡張のための同期をサポートする、ワイヤレス通信のためのシステムの一例を示す図。
【図２】[0040]本開示の態様による、広帯域カバレージ拡張のための同期をサポートするワイヤレス通信システムの一例を示す図。
【図３】[0041]本開示の態様による、広帯域カバレージ拡張のための同期をサポートするフレーム構造の一例を示す図。
【図４】[0042]本開示の態様による、広帯域カバレージ拡張のための同期をサポートするプロセスフローチャートの一例を示す図。
【図５】[0043]本開示の態様による、広帯域カバレージ拡張のための同期をサポートする１次同期信号（ＰＳＳ）エンコーダおよび２次同期信号（ＳＳＳ）エンコーダの一例を示す図。
【図６】[0044]本開示の態様による、広帯域カバレージ拡張のための同期をサポートするテーブルの一例を示す図。
【図７Ａ】[0045]本開示の態様による、広帯域カバレージ拡張のための同期をサポートするサブフレームの一例を示す図。
【図７Ｂ】本開示の態様による、広帯域カバレージ拡張のための同期をサポートするサブフレームの一例を示す図。
【図８Ａ】[0046]本開示の態様による、広帯域カバレージ拡張のための同期をサポートするサブフレームの一例を示す図。
【図８Ｂ】本開示の態様による、広帯域カバレージ拡張のための同期をサポートするサブフレームの一例を示す図。
【図９】[0047]本開示の態様による、広帯域カバレージ拡張のための同期をサポートするＰＳＳ検出器の一例を示す図。
【図１０】[0048]本開示の態様による、広帯域カバレージ拡張のための同期をサポートするＳＳＳ検出器の一例を示す図。
【図１１】[0049]本開示の態様による、広帯域カバレージ拡張のための同期をサポートするデバイスのブロック図。
【図１２】本開示の態様による、広帯域カバレージ拡張のための同期をサポートするデバイスのブロック図。
【図１３】本開示の態様による、広帯域カバレージ拡張のための同期をサポートするデバイスのブロック図。
【図１４】[0050]本開示の態様による、広帯域カバレージ拡張のための同期をサポートするＵＥを含むシステムのブロック図。
【図１５】[0051]本開示の態様による、広帯域カバレージ拡張のための同期をサポートするデバイスのブロック図。
【図１６】本開示の態様による、広帯域カバレージ拡張のための同期をサポートするデバイスのブロック図。
【図１７】本開示の態様による、広帯域カバレージ拡張のための同期をサポートするデバイスのブロック図。
【図１８】[0052]本開示の態様による、広帯域カバレージ拡張のための同期をサポートする基地局を含むシステムのブロック図。
【図１９】[0053]本開示の態様による、広帯域カバレージ拡張のための同期のための方法を示す図。
【図２０】本開示の態様による、広帯域カバレージ拡張のための同期のための方法を示す図。
【図２１】本開示の態様による、広帯域カバレージ拡張のための同期のための方法を示す図。
【図２２】本開示の態様による、広帯域カバレージ拡張のための同期のための方法を示す図。
【発明を実施するための形態】
【００４０】
[0054]本明細書で説明されるワイヤレス通信システムは、初期収集および基地局との通信においてユーザ機器（ＵＥ）を助けるために同期信号を構成し、フレームのサブフレーム内でそれを送信するように構成され得る。いくつかの例では、ＵＥは、チャネルの復号のために基準信号送信を収集するための、基地局のシンボルタイミングおよびサブフレームタイミングを取得するために、同期信号（たとえば、１次同期信号（ＰＳＳ）および２次同期信号（ＳＳＳ））を処理し得る。
【００４１】
[0055]ＰＳＳタイミングを検出することと初期周波数オフセット補正とは、ＵＥが初期収集を実行するための時間量を延長するボトルネックである。従来のソリューションでは、基地局は、周期的に（たとえば、８０、１６０、または３２０ミリ秒ごとに）生じる発見基準信号（ＤＲＳ）測定タイミング構成（ＤＭＴＣ）ウィンドウ内でＰＳＳおよびＳＳＳをトランスポートするサブフレームを送信し得る。一般に、ＰＳＳおよびＳＳＳは、ＤＭＴＣ周期内で１回のみ送信され、ＰＳＳ／ＳＳＳは、ＤＭＴＣウィンドウの最初の３２ミリ秒（たとえば、サブフレーム情報の５ビット）内でのみ見つけられる。
【００４２】
[0056]ＰＳＳタイミングを検出するための従来のソリューションは、ワンショット検出確率を達成するためのＳＮＲ  ｄＢ指定を適切に満たさないことがある。ワンショット検出確率は、単一のＤＭＴＣウィンドウ中でＰＳＳおよびＳＳＳを検出する確率である。たとえば、ＭｕＬＴＥｆｉｒｅ（ＭＦ）システムが、ＳＮＲ＝−４．５ｄＢにおいて２シンボルＰＳＳの検出を指定し得る。別の例として、ＭＦシステムは、ＳＮＲ＝−１０．５ｄＢにおいて特定のワンショット検出確率（たとえば、５０％）を指定し得る。いくつかのシステムは、一層低いＳＮＲにおいて検出を指定し得る。いくつかの場合には、低いＳＮＲにおいて検出を達成するために、ＰＳＳの少なくとも１２個のシンボルが組み合わせられ得る。しかしながら、従来のソリューションは、サブフレームごとに２つのＰＳＳシンボルのみを使用し、したがって、ＵＥは、所望のワンショットＰＳＳ／ＳＳＳ検出確率を達成するために、６つの異なるサブフレームにわたって拡散された１２個のシンボルを監視しなければならないことがある。ＭＦシステムでは、２つのＰＳＳシンボルおよび２つのＳＳＳシンボルが単一のＤＭＴＣウィンドウ内でトランスポートされ得るが、複数のＤＭＴＣウィンドウにわたるＰＳＳおよびＳＳＳシンボルを組み合わせることは、ウィンドウ間の浮動タイミングにより、難しいことがある。その上、ＰＳＳおよびＳＳＳを検出するために複数のサブフレームを利用することは、リッスンビフォアトーク（ＬＢＴ）環境において動作するシステムに好適でない。追加のバッファハードウェアが、ＰＳＳ検出中に、受信されたＰＳＳシンボルを使用可能にするために使用され得る。
【００４３】
[0057]ＰＳＳタイミング検出をさらに複雑にすることは、ＰＳＳ検出を実行するための従来の技法が、ＵＥと基地局との間の周波数不一致を適切に考慮することも、雑音を適切に低減することもしないことである。ＰＳＳ検出を実行するための従来の技法では、ＵＥは、信号を受信し、タイミング仮説τをもつ１２個のシンボルを１２個の列ベクトルＲ（τ）＝［ｒ0，ｒ1，…，ｒ11］に区分し得る。ＵＥは、相互相関シンボルｙ（τ）＝［ｙ0，ｙ1，…，ｙ11］＝ｐH・［ｓ0ｒ0，ｓ1ｒ1，…，ｓ11ｒ11］を生成するために各シンボルについてＰＳＳシンボルｐおよびカバーコードｓmを用いて相互相関を実行し得る。ＵＥは、以下の式を使用することにＣ個のシンボルをＰＳＳコヒーレントに組み合わせることを実行し得る。
【００４４】
【数１】
0006825139.tif 000002
【００４５】
、
【００４６】
【数２】
0006825139.tif 000003
【００４７】
。ＵＥは、次いで、以下の式を使用して相互相関シンボルを非コヒーレントな組み合わせることによってコスト関数を計算し得る。
【００４８】
【数３】
0006825139.tif 000004
【００４９】
。ＵＥは、以下の式を使用してＰＳＳを検出し得る。
【００５０】
【数４】
0006825139.tif 000005
【００５１】
。ＵＥは、ＳＳＳ検出中の確認のためにτの上位Ｎ個の仮説と周波数ビンとを保持し得る。
【００５２】
[0058]ＵＥと基地局とはわずかに異なる周波数において動作し得るので、ＵＥは、周波数不一致を考慮するために周波数オフセット限界を決定することができない。周波数オフセット限界の不確実性は、ＵＥがコヒーレントに組み合わせることができるシンボルの数を２つのシンボルに不利に限定する（たとえば、最大周波数オフセットは５ＫＨｚであり、コヒーレンス時間は９０マイクロ秒である）。その上、非コヒーレントな組み合わせることは、フェージングダイバーシティから利得を与えるにすぎず、雑音を低減しない。
【００５３】
[0059]ＰＳＳおよびＳＳＳが検出された後でも、ＵＥは、次いで、１つまたは複数のサブフレーム中の１つまたは複数の基準信号のロケーションを決定しなければならない。いくつかの場合には、ＵＥのためのＤＲＳ送信は、全送信機会（たとえば、レガシーＤＲＳのための１つのサブフレームを含む約６〜７個のサブフレーム）にわたり得る。ＵＥは、フレームの物理ブロードキャストチャネル（ＰＢＣＨ）をどのように復号すべきかを決定するために基準信号を処理し得る。ＰＢＣＨは、マスタ情報ブロック（ＭＩＢ）およびシステム情報ブロック（ＳＩＢ）など、ＵＥがセル収集のために使用し得る情報を含み得る。
【００５４】
[0060]多くの事例では、基地局は、基準信号をスクランブルし、１つまたは複数のサブフレーム内で、スクランブルされた基準信号を送信する。ＵＥは、ＰＢＣＨを復号するために基準信号をデスクランブルするために使用すべきスクランブリングルールを決定しなければならない。サブフレーム番号指示が、どのスクランブリングルールを使用すべきかを指示し得る。ジョイントシグナリングでは、ＵＥは、ＤＭＴＣウィンドウ内でＰＢＣＨのロケーションを指示するサブフレーム番号指示（たとえば、ＰＢＣＨロケーションを指示する５ビット）を決定するためにＳＳＳを処理し得る。スクランブリングルールはＰＢＣＨロケーションに関連し得、ＵＥは、決定されたＰＢＣＨロケーションに基づいてスクランブリングルールを選択し得る。非依存シグナリングでは、ＰＢＣＨは、どのスクランブリングルールを適用すべきかを指示するサブフレーム番号指示を含み得、ＵＥは、サブフレーム番号指示を導出するためにデスクランブリングルールのセットに従わなければならないことがある。
【００５５】
[0061]本明細書で説明される例は、ワンショットＰＳＳおよびＳＳＳ検出の改善されたレートを与え得る。たとえば、基地局は、各々所与のサブフレームの単一のシンボル期間において、ＰＳＳシーケンスおよびＳＳＳシーケンスを送信し得、他のサブフレームのそれぞれの単一のシンボル中で同じＰＳＳシーケンスおよび同じＳＳＳシーケンスを送信し得る。この例では、第１のサブフレーム中で、基地局は、ＳＳＳシーケンスの後に、および他の同期信号（たとえば、レガシーＰＳＳ、レガシーＳＳＳ）のセットに対応するシーケンスのセットの前にＰＳＳシーケンスを送信し得る。他のサブフレーム（たとえば、第１のサブフレームの後のサブフレーム）中で、基地局は、他の同期信号のセットに対応するシーケンスのセットの後に、およびＳＳＳシーケンスの前にＰＳＳシーケンスを送信し得る。このようにしてＰＳＳシーケンスおよびＳＳＳシーケンスを送信することは、レガシーＵＥ（たとえば、ＤＭＴＣウィンドウ中で送信されたレガシーＰＳＳおよびＳＳＳに基づいて同期するＵＥ）の同期に悪影響を及ぼすことなしに、単一のＤＭＴＣウィンドウ内でＵＥによって、改善されたワンショット検出確率を与える。
【００５６】
[0062]別の例として、基地局は、単一のサブフレーム内の複数の連続するシンボル期間（たとえば、サブフレーム中の６つの連続するシンボル期間のセット）において同じＰＳＳシーケンスを送信し得、単一のサブフレーム内で複数の連続するシンボル期間（たとえば、サブフレーム６つの連続するシンボル期間のセット）において同じＳＳＳシーケンスを送信し得る。言い換えれば、基地局は、単一のサブフレーム内でＰＳＳシーケンスとＳＳＳシーケンスの両方を反復的に送信し得る。このようにしてＰＳＳシーケンスおよびＳＳＳシーケンスを送信することは、単一のＤＭＴＣウィンドウ内でＵＥによって、改善されたワンショット検出確率を与える。さらに、単一のサブフレーム中でＰＳＳシンボルのすべてを有することは、有益には、バッファハードウェアを節約し、ＵＥが単一のＤＭＴＣウィンドウ内で複数のタイミング仮説についての相関計算を実行することを可能にする。その上、本明細書で説明される技法は、サブフレームタイミングと基準信号のためのスクランブリングルールとを決定するために使用され得るＳＳＳシーケンス中で、セル識別子グループ、基準信号のためのサブフレームオフセット、またはその両方を符号化し得る。本明細書で説明される技法は、有益には、ＵＥによるセル収集の持続時間を低減し、ワンショットＰＳＳおよびＳＳＳ検出の改善されたレートを与える。
【００５７】
[0063]最初に、本開示の態様がワイヤレス通信システムのコンテキストにおいて説明される。ワイヤレス通信システムは、セル収集の持続時間を低減するために、向上したＰＳＳおよびＳＳＳ検出を与え得る。本開示の態様は、さらに、広帯域カバレージ拡張のための同期に関する装置図、システム図、およびフローチャートによって示され、それらを参照しながら説明される。
【００５８】
[0064]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）、ＬＴＥアドバンスト（ＬＴＥ−Ａ）ネットワーク、または新しい無線（ＮＲ）ネットワークであり得る。いくつかの場合には、ワイヤレス通信システム１００は、拡張ブロードバンド通信、超高信頼（すなわち、ミッションクリティカルな）通信、低レイテンシ通信、ならびに、低コストおよび低複雑度デバイスとの通信をサポートし得る。いくつかの態様では、基地局１０５−ａは、本明細書で説明されるように、各々所与のサブフレームの単一のシンボル期間において、ＰＳＳシーケンスおよびＳＳＳシーケンスを送信し得、他のサブフレーム中で同じＰＳＳシーケンスおよび同じＳＳＳシーケンスを送信し得る。いくつかの態様では、基地局１０５−１は、セル収集の持続時間を低減するために、ならびに／またはワンショットＰＳＳおよびＳＳＳ検出の確率を改善するために、フレームのサブフレームの連続するシンボル期間内でＰＳＳシーケンスおよびＳＳＳシーケンスを送信し得る。
【００５９】
[0065]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク送信、または基地局１０５からＵＥ１１５へのダウンリンク送信を含み得る。制御情報およびデータは、様々な技法に従ってアップリンクチャネルまたはダウンリンク上で多重化され得る。制御情報およびデータは、たとえば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）中に送信される制御情報は、カスケード様式で異なる制御領域間で（たとえば、共通制御領域と１つまたは複数のＵＥ固有制御領域との間で）分散され得る。
【００６０】
[0066]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ：Internet of Things）デバイス、あらゆるモノのインターネット（ＩｏＥ：Internet of Everything）デバイス、マシンタイプ通信（ＭＴＣ）デバイス、アプライアンス、自動車などであり得る。
【００６１】
[0067]いくつかの場合には、ＵＥ１１５はまた、（たとえば、ピアツーピア（Ｐ２Ｐ）またはデバイスツーデバイス（Ｄ２Ｄ）プロトコルを使用して）他のＵＥと直接通信することが可能であり得る。Ｄ２Ｄ通信を利用するＵＥ１１５のグループのうちの１つまたは複数が、セルのカバレージエリア１１０内にあり得る。そのようなグループ中の他のＵＥ１１５は、セルのカバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５が、Ｄ２Ｄ通信のためのリソースのスケジューリングを促進する。他の場合には、Ｄ２Ｄ通信は基地局１０５とは無関係に実行される。
【００６２】
[0068]ＭＴＣデバイスまたはＩｏＴデバイスなど、いくつかのＵＥ１１５は、低コストまたは低複雑度デバイスであり得、マシン間の自動化された通信、すなわち、マシンツーマシン（Ｍ２Ｍ）通信を与え得る。Ｍ２ＭまたはＭＴＣは、デバイスが人間の介入なしに互いとまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を集めるか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００６３】
[0069]いくつかの場合には、ＭＴＣデバイスは、低減されたピークレートで半二重（一方向）通信を使用して動作し得る。ＭＴＣデバイスはまた、アクティブ通信に関与していないとき、電力節約「ディープスリープ」モードに入るように構成され得る。いくつかの場合には、ＭＴＣデバイスまたはＩｏＴデバイスは、ミッションクリティカルな機能をサポートするように設計され得、ワイヤレス通信システムは、これらの機能のための超高信頼通信を与えるように構成され得る。
【００６４】
[0070]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５は発展型ノードＢ（ｅＮＢ）１０５と呼ばれることもある。
【００６５】
[0071]基地局１０５はＳ１インターフェースによってコアネットワーク１３０に接続され得る。コアネットワークは、少なくとも１つのモビリティ管理エンティティ（ＭＭＥ：mobility management entity）と、少なくとも１つのサービングゲートウェイ（Ｓ−ＧＷ：serving gateway）と、少なくとも１つのパケットデータネットワーク（ＰＤＮ：Packet Data Network）ゲートウェイ（Ｐ−ＧＷ：PDN gateway）とを含み得る発展型パケットコア（ＥＰＣ：evolved packet core）であり得る。ＭＭＥは、ＵＥ１１５とＥＰＣとの間のシグナリングを処理する制御ノードであり得る。すべてのユーザインターネットプロトコル（ＩＰ）パケットはＳ−ＧＷを通して転送され得、Ｓ−ＧＷ自体はＰ−ＧＷに接続され得る。Ｐ−ＧＷはＩＰアドレス割振りならびに他の機能を与え得る。Ｐ−ＧＷは、ネットワーク事業者のＩＰサービスに接続され得る。事業者のＩＰサービスは、インターネットと、イントラネットと、ＩＰマルチメディアサブシステム（ＩＭＳ：IP Multimedia Subsystem）と、パケット交換（ＰＳ：Packet-Switched）ストリーミングサービスとを含み得る。
【００６６】
[0072]コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５など、ネットワークデバイスのうちの少なくともいくつかは、アクセスノードコントローラ（ＡＮＣ）の一例であり得る、アクセスネットワークエンティティなど、副構成要素を含み得る。各アクセスネットワークエンティティは、その各々が、スマート無線ヘッド、または送信／受信ポイント（ＴＲＰ）の一例であり得る、いくつかの他のアクセスネットワーク送信エンティティを通していくつかのＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）にコンソリデートされ得る。
【００６７】
[0073]ワイヤレス通信システム１００は、７００ＭＨｚから２６００ＭＨｚ（２．６ＧＨｚ）までの周波数帯域を使用する超高周波（ＵＨＦ）周波数領域中で動作し得るが、いくつかのネットワーク（たとえば、ワイヤレスローカルエリアネットワーク（ＷＬＡＮ））は、４ＧＨｚと同程度に高い周波数を使用し得る。この領域は、波長が長さ約１デシメートルから１メートルに及ぶので、デシメートル帯域としても知られ得る。ＵＨＦ波は、主に見通し線によって伝搬し得、建築物と環境特徴とによって阻止され得る。しかしながら、波は、屋内に配置されたＵＥ１１５にサービスを与えるために、十分に壁を透過し得る。ＵＨＦ波の送信は、スペクトルの高周波（ＨＦ）または超短波（ＶＨＦ）部分のより小さい周波数（およびより長い波）を使用する送信と比較してより小さいアンテナおよびより短い距離（たとえば、１００ｋｍ未満）によって特徴づけられる。いくつかの場合には、ワイヤレス通信システム１００は、（たとえば、３０ＧＨｚから３００ＧＨｚまでの）スペクトルの極高周波（ＥＨＦ）部分をも利用し得る。この領域は、波長が長さ約１ミリメートルから１センチメートルに及ぶので、ミリメートル帯域としても知られ得る。したがって、ＥＨＦアンテナは、ＵＨＦアンテナよりも一層小さく、近接して離間し得る。いくつかの場合には、これは、（たとえば、指向性ビームフォーミングのための）ＵＥ１１５内のアンテナアレイの使用を促進し得る。しかしながら、ＥＨＦ送信は、ＵＨＦ送信よりも一層大きい大気減衰およびより短い距離を受け得る。
【００６８】
[0074]したがって、ワイヤレス通信システム１００は、ＵＥ１１５と基地局１０５との間のミリメートル波（ｍｍＷ）通信をサポートし得る。ｍｍＷ帯域またはＥＨＦ帯域中で動作するデバイスは、ビームフォーミングを可能にするために複数のアンテナを有し得る。すなわち、基地局１０５は、ＵＥ１１５との指向性通信のためのビームフォーミング動作を行うために、複数のアンテナまたはアンテナアレイを使用し得る。（空間フィルタ処理または指向性送信と呼ばれることもある）ビームフォーミングは、ターゲット受信機（たとえば、ＵＥ１１５）の方向において全体的なアンテナビームを整形および／またはステアリングするために送信機（たとえば、基地局１０５）において使用され得る信号処理技法である。これは、特定の角度における送信信号は強め合う干渉を経験し、他のものは弱め合う干渉を経験するように、アンテナアレイ中の要素を組み合わせることによって達成され得る。
【００６９】
[0075]多入力多出力（ＭＩＭＯ）ワイヤレスシステムは、送信機（たとえば、基地局１０５）と受信機（たとえば、ＵＥ１１５）との間の送信方式を使用し、ここで、送信機と受信機の両方が複数のアンテナを装備する。ワイヤレス通信システム１００のいくつかの部分はビームフォーミングを使用し得る。たとえば、基地局１０５は、基地局１０５がＵＥ１１５とのそれの通信におけるビームフォーミングのために使用し得るアンテナポートのいくつかの行および列をもつアンテナアレイを有し得る。信号は、異なる方向において複数回送信され得る（たとえば、各送信は別様にビームフォーミングされ得る）。ｍｍＷ受信機（たとえば、ＵＥ１１５）は、同期信号を受信しながら複数のビーム（たとえば、アンテナサブアレイ）を試み得る。
【００７０】
[0076]いくつかの場合には、基地局１０５またはＵＥ１１５のアンテナは、ビームフォーミングまたはＭＩＭＯ動作をサポートし得る１つまたは複数のアンテナアレイ内に配置され得る。１つまたは複数の基地局アンテナまたはアンテナアレイは、アンテナ塔など、アンテナアセンブリにおいてコロケートされ得る。いくつかの場合には、基地局１０５に関連するアンテナまたはアンテナアレイは、多様な地理的ロケーション中に配置され得る。基地局１０５は、ＵＥ１１５との指向性通信のためのビームフォーミング動作を行うために、アンテナまたはアンテナアレイを複数の使用し得る。
【００７１】
[0077]いくつかの場合には、ワイヤレス通信システム１００は、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、いくつかの場合には、論理チャネル上で通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ：Hybrid ARQ）を使用し得る。制御プレーンでは、無線リソース制御（ＲＲＣ）プロトコルレイヤが、ユーザプレーンデータのための無線ベアラをサポートする、ＵＥ１１５とネットワークデバイス、基地局１０５、またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００７２】
[0078]ＬＴＥまたはＮＲにおける時間間隔は、（Ｔs＝１／３０，７２０，０００秒のサンプリング期間であり得る）基本時間単位の倍数単位で表され得る。時間リソースは、０から１０２３に及ぶシステムフレーム番号（ＳＦＮ）によって識別され得る、１０ｍｓの長さの無線フレーム（Ｔf＝３０７２００Ｔs）に従って編成され得る。各フレームは、０から９までの番号を付けられた１０個の１ｍｓサブフレームを含み得る。サブフレームは、その各々が（各シンボルにプリペンドされたサイクリックプレフィックスの長さに応じて）６つまたは７つの変調シンボル期間を含んでいる、２つの．５ｍｓスロットにさらに分割され得る。サイクリックプレフィックスを除いて、各シンボルは２０４８個のサンプル期間を含んでいる。いくつかの場合には、サブフレームは、ＴＴＩとしても知られる、最も小さいスケジューリング単位であり得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【００７３】
[0079]リソース要素は、１つのシンボル期間と１つのサブキャリア（たとえば、１５ＫＨｚ周波数範囲）とからなり得る。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。各リソース要素によって搬送されるビット数は、変調方式（各シンボル期間中に選択され得るシンボルの構成）に依存し得る。したがって、ＵＥが受信するリソースブロックが多いほど、また変調方式が高いほど、データレートは高くなり得る。
【００７４】
[0080]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００７５】
[0081]いくつかの場合には、ワイヤレス通信システム１００は拡張コンポーネントキャリア（ｅＣＣ）を利用し得る。ｅＣＣは、より広い帯域幅、より短いシンボル持続時間、より短いＴＴＩ、および変更された制御チャネル構成を含む、１つまたは複数の特徴によって特徴づけられ得る。いくつかの場合には、ｅＣＣは、（たとえば、複数のサービングセルが準最適または理想的でないバックホールリンクを有するとき）キャリアアグリゲーション構成またはデュアル接続性構成に関連し得る。ｅＣＣはまた、（２つ以上の事業者が、スペクトルを使用することを許可された場合）無認可スペクトルまたは共有スペクトルにおいて使用するために構成され得る。広帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００７６】
[0082]いくつかの場合には、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、増加されたサブキャリア間隔に関連する。ｅＣＣを利用する、ＵＥ１１５または基地局１０５などのデバイスは、低減されたシンボル持続時間（たとえば、１６．６７マイクロ秒）において広帯域信号（たとえば、２０、４０、６０、８０ＭＨｚなど）を送信し得る。ｅＣＣ中のＴＴＩは、１つまたは複数のシンボルからなり得る。いくつかの場合には、ＴＴＩ持続時間（すなわち、ＴＴＩ中のシンボルの数）は可変であり得る。
【００７７】
[0083]共有無線周波数スペクトル帯域が、ＮＲ共有スペクトルシステムにおいて利用され得る。たとえば、ＮＲ共有スペクトルは、特に、認可スペクトル、共有スペクトル、および無認可スペクトルの任意の組合せを利用し得る。ｅＣＣシンボル持続時間およびサブキャリア間隔のフレキシビリティは、複数のスペクトルにわたるｅＣＣの使用を可能にし得る。いくつかの例では、ＮＲ共有スペクトルは、詳細にはリソースの動的垂直（たとえば、周波数にわたる）共有と水平（たとえば、時間にわたる）共有とを通して、スペクトル利用率とスペクトル効率とを増加させ得る。
【００７８】
[0084]いくつかの場合には、ワイヤレス通信システム１００は、認可無線周波数スペクトル帯域と無認可無線周波数スペクトル帯域の両方を利用し得る。たとえば、ワイヤレス通信システム１００は、５Ｇｈｚ産業科学医療用（ＩＳＭ）帯域などの無認可帯域中でＬＴＥライセンス支援型アクセス（ＬＴＥ−ＬＡＡ）またはＬＴＥ無認可（ＬＴＥ−Ｕ）無線アクセス技術あるいはＮＲ技術を採用し得る。無認可無線周波数スペクトル帯域中で動作するとき、基地局１０５およびＵＥ１１５などのワイヤレスデバイスは、データを送信する前にチャネルがクリアであることを保証するために、リッスンビフォアトーク（ＬＢＴ）プロシージャを採用し得る。いくつかの場合には、無認可帯域中の動作は、認可帯域中で動作するＣＣとともに、ＣＡ構成に基づき得る。無認可スペクトルにおける動作は、ダウンリンク送信、アップリンク送信、またはその両方を含み得る。無認可スペクトルにおける複信は、周波数分割複信（ＦＤＤ）、時分割複信（ＴＤＤ）、またはその両方の組合せに基づき得る。
【００７９】
[0085]本明細書で説明されるいくつかの例では、基地局１０５は、各々所与のサブフレームの単一のシンボル期間において、ＰＳＳシーケンスおよびＳＳＳシーケンスを送信し得、他のサブフレーム中で同じＰＳＳシーケンスおよび同じＳＳＳシーケンスを送信し得る。ここで説明される他の例では、基地局１０５は、単一のサブフレームの連続するシンボル期間内にＰＳＳシーケンスおよびＳＳＳシーケンスを送信し得る。上記の様式でＰＳＳシーケンスおよびＳＳＳシーケンスを送信することは、ＵＥ１１５によるセル収集の持続時間を低減し得、ならびに／または、ＵＥ１１５によるワンショットＰＳＳおよびＳＳＳ検出の確率を改善し得る。
【００８０】
[0086]図２は、本開示の様々な態様による、広帯域カバレージ拡張のための同期をサポートするワイヤレス通信システム２００の一例を示す。ワイヤレス通信システム２００は、図１を参照しながら上記で説明されたように、対応するデバイスの態様の例であり得る、基地局１０５−ａとＵＥ１１５−ａとを含む。図２の例では、ワイヤレス通信システム２００は、ＬＴＥ、５Ｇ、または新しい無線（ＮＲ）無線アクセス技術（ＲＡＴ）など、ＲＡＴに従って動作し得るが、本明細書で説明される技法は、任意のＲＡＴに、および２つまたはそれ以上の異なるＲＡＴを同時に使用し得るシステムに適用され得る。
【００８１】
[0087]基地局１０５−ａは、ダウンリンクキャリア２０５およびアップリンクキャリア２１５上でＵＥ１１５−ａと通信し得る。いくつかの場合には、基地局１０５−ａは、ダウンリンクキャリア２０５を使用して、割り振られた時間および周波数リソースにおいてフレーム２１０を送信し得る。送信されたフレーム２１０は、セル収集のためにＵＥ１１５−ａによって使用され得る同期信号を含み得る。いくつかの場合には、基地局１０５−ａは、ｍｍＷ周波数を使用して送信し得る。
【００８２】
[0088]図３は、本開示の様々な態様による、広帯域カバレージ拡張のための同期をサポートするフレーム構造３００の一例を示す。ダウンリンクにおける送信タイムラインは無線フレームの単位に区分され得る。各無線フレームは、定義された持続時間（たとえば、１０ミリ秒（ｍｓ））を有し得、対応するインデックスを有する定義された数のサブフレーム（たとえば、０〜９のインデックスをもつ１０個のサブフレーム）に区分され得る。各サブフレームは２つのスロットを含み得る。各無線フレーム２１０は、０〜１９のインデックスをもつ２０個のスロットを含み得る。各スロットは、Ｌ個のシンボル期間、たとえば、（図２に示されているように）ノーマルサイクリックプレフィックスの場合はＬ＝７個のシンボル期間、または拡張サイクリックプレフィックスの場合はＬ＝６個のシンボル期間を含み得る。各サブフレーム中の２Ｌ個のシンボル期間は０〜２Ｌ−１のインデックスを割り当てられ得る。利用可能な時間および周波数リソースはリソースブロックに区分され得る。各リソースブロックは、１つのスロット中でＮ個のサブキャリア（たとえば、１２個のサブキャリア）をカバーし得る。各シンボル期間においていくつかのリソース要素が利用可能であり得る。各リソース要素（ＲＥ）は、１つのシンボル期間において１つのサブキャリアをカバーし得、実数値または複素数値であり得る１つの変調シンボルを送るために使用され得る。各シンボル期間において基準信号のために使用されないリソース要素は、リソース要素グループ（ＲＥＧ：resource element group）中に配置され得る。各ＲＥＧは１つのシンボル期間において４つのリソース要素を含み得る。いくつかの場合には、ＤＭＴＣウィンドウは、ＰＳＳ、ＳＳＳ、またはその両方をトランスポートするために使用され得るサブフレーム内で定義され得る。
【００８３】
[0089]図４は、本開示の様々な態様による、広帯域カバレージ拡張のための同期をサポートするプロセスフローチャート４００の一例を示す。フローチャート４００では、基地局１０５−ａは、ＵＥ１１５−ａがセル収集のためにシンボルタイミングおよびサブフレームタイミングを取得するために使用し得る同期信号を含むフレームを送信し得る。
【００８４】
[0090]４０５において、基地局１０５−ａは、フレーム中での送信のために同期信号を構成し得る。
【００８５】
[0091]一例では、同期信号はＰＳＳシーケンスおよびＳＳＳシーケンスを含み得、ここで、ＰＳＳシーケンスおよびＳＳＳシーケンスの各々が所与のサブフレームのそれぞれの単一のシンボル期間において送信される。ここでは、第１のサブフレーム中で、ＰＳＳシーケンスは、ＳＳＳシーケンスの後に、および他の同期信号（たとえば、レガシーＰＳＳ、レガシーＳＳＳ）のセットに対応する他のシーケンスのセットの前に送信される。他のサブフレーム（たとえば、第１のサブフレームの後の３つのサブフレーム）中で、ＰＳＳシーケンスは、他の同期信号のセットに対応するシーケンスのセットの後に、およびＳＳＳシーケンスの前に送信される。言い換えれば、他のサブフレーム中で、ＰＳＳシーケンスおよびＳＳＳシーケンスのロケーションは、（たとえば、第１のサブフレームと比較して）他のシーケンスのセットのロケーションとスワップされ、ＰＳＳは、（たとえば、第１のサブフレームの場合のようにＳＳＳの後にではなく）ＳＳＳの前に送信される。
【００８６】
[0092]別の例では、同期信号は、サブフレームの連続するシンボルの第１のセット中で送信されるＰＳＳシーケンスと、サブフレームの連続するシンボルの第２のセット中で送信されるＳＳＳシーケンスとを含み得る。特定の例として、ＰＳＳシーケンスはサブフレーム中で６回送信され得、ここで、ＰＳＳシーケンスの各送信は、サブフレームの６つの連続するシンボルの第１のセット（たとえば、シンボル２〜７）のうちの１つ中にある。ここでは、ＳＳＳシーケンスもサブフレーム中で６回送信され得、ここで、ＳＳＳシーケンスの各送信は、サブフレームの６つの連続するシンボルの第２のセット（たとえば、シンボル８〜１３）のうちの１つ中にある。
【００８７】
[0093]ロバストなＰＳＳ検出を可能にするために、ＰＳＳは単一のシーケンスであり得る。いくつかの例では、基地局１０５−ａは、フレーム２１０を送信するために割り振られたシステム帯域幅の中心周波数の周りでＰＳＳおよびＳＳＳを送信し得る。ＰＳＳおよびＳＳＳを構成する追加の態様は、図５〜図８Ｂにおいて以下で説明される。
【００８８】
[0094]４１０において、基地局１０５−ａは、ＰＳＳおよびＳＳＳを含むフレーム２１０を送信し得る。４１５において、ＵＥ１１５−ａは、セル収集を開始するフレーム２１０ために使用し得る。一例では、ＵＥ１１５−ａは、電源投入され、接続すべきセルを探索し始め得る。
【００８９】
[0095]４２０において、ＵＥ１１５−ａは、ＰＳＳを検出するために、および基地局１０５によって送信されたサブフレームのシンボル期間のシンボルタイミングを決定するために、相互相関および自己相関を実行し得る。シンボルタイミングは、ＵＥ１１５−ａがフレーム２１０内の各シンボルの境界を検出することを可能にし得る。ＰＳＳが、上記で説明された様式のいずれかで送信されたとき、ＵＥ１１５−ａがＰＳＳを検出し、単一のＤＭＴＣウィンドウ内のシンボルタイミングを決定する確率が改善され、したがって、改善されたワンショットＰＳＳ検出レートが生じる。ＰＳＳ検出の追加の態様は、図９において以下で説明される。
【００９０】
[0096]４２５において、ＵＥ１１５−ａは、基地局から受信された信号からＳＳＳを生成するためにシンボルタイミングを使用し、ＳＳＳに基づいてサブフレームタイミングを決定し得る。ＳＳＳ検出の追加の態様は、図１０において以下で説明される。
【００９１】
[0097]４３０において、ＵＥ１１５−ａは、ＳＳＳからのサブフレームオフセットを決定し、サブフレームオフセットに基づいて基準信号のためのスクランブリングルールを決定し得る。いくつかの例では、基準信号は、発見基準信号（ＤＲＳ）、セル固有基準信号（ＣＲＳ）、チャネル状態情報基準信号（ＣＳＩ−ＲＳ）などであり得る。
【００９２】
[0098]４３５において、ＵＥ１１５−ａは、スクランブリングルールを使用して基準信号をデスクランブルし、デスクランブルされた基準信号を使用してフレーム２１０のチャネルを復号し得る。デスクランブリングの追加の態様は、図１０において以下で説明される。４４０において、ＵＥ１１５−ａは、セル収集を完了し、シンボルタイミングおよびサブフレームタイミングを使用して基地局１０５−ａとトラフィックを交換し得る。
【００９３】
[0099]図５〜図８Ｂは、４１５において基地局１０５−ａがＰＳＳおよびＳＳＳを構成することの追加の態様を示す。図５は、本開示の様々な態様による、広帯域カバレージ拡張のための同期をサポートするＰＳＳエンコーダおよびＳＳＳエンコーダの図５００の一例を示す。基地局１０５−ａは、ＰＳＳエンコーダ５０５とＳＳＳエンコーダ５１５とを含み得る。ＰＳＳエンコーダ５０５は、ＰＳＳシーケンスｐとカバーコードシーケンスｓmとを受信し、符号化されたＰＳＳシーケンスＥＰ５１０を出力し得る。ＰＳＳシーケンスｐは、ＰＳＳ検出のロバストネスを改善するために基地局１０５−ａおよびＵＥ１１５−ａの各々によって知られている単一のシーケンスであり得る。一例では、ＰＳＳシーケンスは、長さ６３のシーケンスを有し得、いくつかの例では、特定のルートインデックスをもつＺａｄｏｆｆ−Ｃｈｕ（ＺＣ）シーケンスであり得る。いくつかの態様では、ＰＳＳシーケンスは、基地局１０５−ａに関連するセル識別子に対応し得る。たとえば、ＰＳＳシーケンスは、ルートのセット（たとえば、２５、２９、および３４）のうちの特定のルートに基づいて生成され得、ここで、ルートのセットのうちの各ルートが、基地局１０５−ａに関連するセル識別子のセット（たとえば、０、１、および２）のうちの異なるセル識別子に対応する。いくつかの態様では、ＵＥ１１５は、以下で説明されるように、ＰＳＳから導出されたセル識別子とＳＳＳから導出されたセル識別子グループと少なくとも部分的に基づいて、基地局１０５−ａに関連する、物理セル識別情報を決定し得る。
【００９４】
[0100]カバーコードシーケンスｓmは、他のシーケンスとの低い相関を有するように選択されたバイナリコードであり得る。カバーコードシーケンスｓmの一例は、ｓm＝［ｓ0，ｓ1，．．．．ｓX］＝［１  １  １  １  −１  −１  １  １  １  −１  １  −１］である。いくつかの態様では、カバーコードは非バイナリコードであり得る。Ｘは、整数であり得、ＰＳＳがその中で送られるサブフレーム内の連続するシンボル期間の数に対応し得る。一例では、ＰＳＳエンコーダ５０５は、ＰＳＳシーケンスＥＰを生成するためにＰＳＳシーケンスｐとカバーコードシーケンスｓmとを乗算し得る。
【００９５】
[0101]ＳＳＳエンコーダ５１５は、セル識別子グループビットとサブフレームオフセットビットとを受信し、各々ＳＳＳシーケンスにマッピングされる、アルファベットからのコードワードを出力し得る。セル識別子グループビットは、基地局１０５−ａのセル識別子グループを伝達し得る。たとえば、セル識別子グループは、定義された数のセル識別情報グループのうちの１つ（たとえば、１６８個のセル識別子グループのうちの１つ）中に含まれるものとして基地局を示すために使用され得る。サブフレームオフセットビットは、フレーム２１０の始端に対する基準信号（たとえば、ＤＲＳ）のオフセットを指示し得る。サブフレームオフセットは、基準信号をデスクランブルするために複数のスクランブリングルールのうちのどれが使用するかを示し得る。ＵＥ１１５−ａは、ＰＢＣＨを復号するために、デスクランブルされた基準信号を使用し得る。
【００９６】
[0102]いくつかの例では、ＳＳＳエンコーダ５１５は、１６のガロア体（ＧＦ）において動作する短縮化リードソロモン（ＲＳ）エンコーダであり得る。短縮化リードソロモンエンコーダは、入力ビット（たとえば、セル識別子グループに対応する８ビット、およびサブフレームオフセットに対応する４または５ビット）を、コードワードアルファベット内のコードワードに変換し得る。たとえば、短縮化リードソロモンエンコーダは、メッセージ長ｋ＝３とＮ＝６または７のコードワード長とをもつ、ＧＦ（１６）における短縮化ＲＳコードを生成し得る。短縮化ＲＳ（６または７，３）コードのための生成多項式は、
【００９７】
【数５】
0006825139.tif 000006
【００９８】
であり、ここで、αは、原始多項式ｐ（ｘ）＝１＋ｘ＋ｘ4に基づく原始元である。いくつかの例では、短縮化ＲＳコードについて最小距離が指定され得る（たとえば、ＲＳコードの最小距離はｄmin＝４／５である）。
【００９９】
[0103]ＳＳＳエンコーダ５１５は、ＧＦ（１６）アルファベットＡとアルファベットＢとの間のマッピングを与え得、であった、各アルファベットＡおよびＢは、定義されたビット数（たとえば、４ビット）である。アルファベットＡは、ＳＳＳエンコーダ４３５がアルファベットＢにおけるコードワードのセット［Ｂ1，Ｂ2，．．．，ＢN］にマッピングし得るコードワードのセット［Ａ1，Ａ2，Ａ3，Ａ4］を含み得る。ＳＳＳエンコーダ４３５は、アルファベットＢからのコードワードＢ1、Ｂ2、．．．、ＢNをマッパ５２０に出力し得る。
【０１００】
[0104]マッパ５２０は、ＳＳＳシーケンスを生成するためのテーブルをインデックス付けするために使用され得る各コードワードＢ1、Ｂ2、．．．、ＢNの値を決定し得る。図６は、本開示の様々な態様による、広帯域カバレージ拡張のための同期をサポートするテーブル６００−ａ、６００−ｂの一例を示す。テーブル６００−ａは、各々ルートμ６１０−ａとサイクリックシフトη６１５−ａとに対応するインデックス６０５−ａを含み得る。いくつかの例では、ルートＲ１およびＲ２、またはＲ３およびＲ４をもつ２つのシーケンスは、複素対称であり得る。ＳＳＳシーケンスは、セル識別子グループを用いて、および随意にサブフレームオフセットを用いて符号化され得、ＵＥ１１５−ａは、セル識別子グループと、随意にサブフレームオフセットとを決定するために、ＳＳＳシーケンスのセットを復号し得る。一例では、Ｂ1＝０であると仮定すると、マッパ５２０は、テーブル６００からインデックスｋ＝０についてのルートＲ１およびサイクリックシフトＣ11を取り出し、ルートＲ１およびサイクリックシフトＣ11の関数としてＳＳＳシーケンスＳ1を生成する。ＳＳシーケンスは、たとえば、ＺＣシーケンスであり得る。Ｂ2＝７であると仮定すると、マッパ５２０は、テーブル６００からインデックスｋ＝７に対応するルートＲ２およびサイクリックシフトＣ24を取り出し、ルートＲ２およびサイクリックシフトＣ24の関数としてＳＳＳシーケンスＳ2を生成する。このプロセスは、コードワードＢ3、．．．ＢNにそれぞれ対応するＳＳＳシーケンスＳ3〜ＳNを生成するために繰り返され得る。テーブル６００−ｂは、異なるインデックス６０５−ｂについてのルートμ６１０−ｂおよびサイクリックシフトη６１５−ｂの例示的な値を示す。いくつかの例では、ルート９および５４と、ルート１３および５０とは複素共役であり、ルート内のサイクリックシフトは最大化され得る。
【０１０１】
[0105]基地局１０５−ａは、符号化されたＰＳＳシーケンスＥＰ1〜ＥＰNとＳＳＳシーケンスＳ1〜ＳNとを、ＵＥ１１５−ａへの送信のためのチャネル帯域幅内の特定のＯＦＤＭシンボルおよびサブキャリアにマッピングし得る。図７Ａおよび図７Ｂは、広帯域カバレージ拡張のための同期をサポートするサブフレームの例示的な図７００を示し、図８Ａおよび図８Ｂは、本開示の様々な態様による、広帯域カバレージ拡張のための同期をサポートするサブフレームの例示的な図８００を示す。例示的な図７００および８００では、時間が左から右に示され、周波数が上から下に示される。基地局１０５−ａは、フレーム送信のための時間および周波数リソースを割り振り得る。
【０１０２】
[0106]例示的な図７００では、チャネル帯域幅７０５が、利用可能な周波数の一部分にわたり、帯域幅７０５内の各サブフレーム３０５−ａ〜３０５−ｄのＯＦＤＭシンボル０〜１３が、割り振られたリソースの上部にわたってラベリングされる。上記で説明されたように、ＰＳＳおよびＳＳＳは、帯域幅７０５内の中心にあるＲ個のサブキャリア７１０上でトランスポートされ得る。Ｒ個のサブキャリア７１０の各々は、周波数において互いによってオフセットされ得る（たとえば、各サブキャリア間の１５ｋＨｚ）。例示的な図７００に示されているように、ＰＳＳ検出を助けるために、基地局１０５−ａは、連続するサブフレームのセット内で（たとえば、サブフレーム３０５−ａのシンボル３内で、サブフレーム３０５−ｂ〜３０５−ｄの各々のシンボル５内で）ＰＳＳを送信し得る。たとえば、Ｒ＝６３であり、ＰＳＳシーケンスｐが６３の長さを有するＺＣシーケンスであり得る場合、ＺＣシーケンスの６３個の複素数は、帯域幅７０５内の中心にある６３個のサブキャリアにマッピングされ得る。上記で説明されたように、ＺＣシーケンスは、基地局１０５−ａに関連するセル識別子に少なくとも部分的に基づいて選択され得る（たとえば、３つのＺＣシーケンスのうちの１つが選択され得る）。同じＲ個のサブキャリア７１０はまた、サブフレーム３０５−ａ〜３０５−ｄ中でＳＳＳとＰＢＣＨ（またはＰＢＣＨ拡張（ＰＢＣＨ  Ｅｘ））とをトランスポートするために使用され得る。たとえば、ＳＳＳ検出を助けるために、基地局１０５−ａは、連続するサブフレームのセット内で（たとえば、サブフレーム３０５−ａのシンボル２内で、サブフレーム３０５−ｂ〜３０５−ｄの各々のシンボル６内で）ＳＳＳを送信し得る。
【０１０３】
[0107]サブフレーム３０５−ａ〜３０５−ｄの時間および周波数リソースのラベルのない部分が、たとえば、レガシーＤＲＳ、レガシーＰＳＳ、レガシーＳＳＳ、ＭＦ１．０ｅＰＳＳ、ＭＦ１．０ｅＳＳＳ、レガシー物理ダウンリンク制御チャネル（ＰＤＣＣＨ）、ＳＩＢ、ＭＦ  ＳＩＢ、ＳＩＢのためのＰＤＣＣＨなど、他の情報をトランスポートするために使用され得る。
【０１０４】
[0108]例示的な図７００に示されているように、ＰＳＳおよびＳＳＳの各々は、所与のサブフレームのそれぞれの単一のシンボル期間において送信される。サブフレーム３０５−ａに示されているように、ＰＳＳシーケンスは、ＳＳＳシーケンスの後に送信され得（たとえば、ＰＳＳはシンボル３中で送信され得、ＳＳＳはシンボル２中で送信され得）、レガシーＳＳＳおよびレガシーＰＳＳの前に送信され（たとえば、それぞれ、シンボル６およびシンボル５中で送信され）得る。サブフレーム３０５−ｂ〜３０５−ｄに示されているように、ＰＳＳシーケンスは、ＳＳＳシーケンスの前に送信され得（たとえば、ＰＳＳはシンボル５中で送信され得、ＳＳＳはシンボル６中で送信され得）、レガシーＰＳＳおよびレガシーＳＳＳの後に送信され（たとえば、それぞれ、シンボル２およびシンボル３中で送信され）得る。
【０１０５】
[0109]この例では、サブフレーム３０５−ｂ〜３０５−ｄ中で、ＰＳＳは、（たとえば、サブフレーム３０５−ａの場合のようにＳＳＳの後にではなく）ＳＳＳの前に送信される。いくつかの態様では、（たとえば、サブフレーム３０５−ａの場合のようにＳＳＳの後にではなく）ＳＳＳの前にＰＳＳを送信することは、レガシーＵＥ（たとえば、同期を実行するためにレガシーＰＳＳおよびレガシーＳＳＳのみを使用するＵＥ）が、ＰＳＳおよびＳＳＳに基づいて同期を試みるのを妨げ、それにより、レガシーＵＥのバッテリー電力および／またはプロセッサリソースを節約する。たとえば、ＳＳＳはサブフレーム３０５−ｂ〜３０５−ｄ中でＰＳＳの前に存在しないので、レガシーＵＥは、同期プロシージャを停止し、および／または、これらのサブフレームに関連するＰＢＣＨを復号することを試みず、これは、レガシーＵＥのバッテリー電力および／またはプロセッサリソースを節約する。
【０１０６】
[0110]さらに、サブフレーム３０５−ｂ〜３０５−ｄ中で、ＰＳＳおよびＳＳＳのロケーションは、（たとえば、サブフレーム３０５−ａと比較して）レガシーＰＳＳおよびレガシーＳＳＳのロケーションとスワップされる。たとえば、サブフレーム３０５−ａ中で、ＳＳＳおよびＰＳＳは、それぞれ、シンボル２および３中で送信され、レガシーＳＳＳおよびレガシーＰＳＳは、それぞれ、シンボル５および６中で送信される。しかしながら、サブフレーム３０５−ｂ〜３０５−ｄ中で、ＰＳＳおよびＳＳＳは、それぞれ、シンボル５および６中で送信され、レガシーＰＳＳおよびレガシーＳＳＳは、それぞれ、シンボル２および３中で送信される。いくつかの態様では、ＰＳＳ／ＳＳＳのロケーションとレガシーＰＳＳ／レガシーＳＳＳのロケーションとをスワップすることは、（たとえば、ＰＳＳ／ＳＳＳはサブフレーム中で後で送信されるので）ＵＥ１１５がサブフレームの開始を識別することが可能である可能性を改善する。さらに、いくつかの態様では、ＳＳＳは、レガシーＳＳＳと同じシーケンスであり得、これは、基地局１０５−ａおよびＵＥ１１５において複雑度を低減する。
【０１０７】
[0111]例示的な図８００では、チャネル帯域幅８０５が、利用可能な周波数の一部分にわたり、帯域幅８０５内の各サブフレーム３０５−ａ〜３０５−ｄのＯＦＤＭシンボル０〜１３が、割り振られたリソースの上部にわたってラベリングされる。上記で説明されたように、ＰＳＳおよびＳＳＳは、帯域幅８０５内の中心にあるＲ個のサブキャリア８１０上でトランスポートされ得る。Ｒ個のサブキャリア８１０の各々は、周波数において互いによってオフセットされ得る（たとえば、各サブキャリア間の１５ｋＨｚ）。例示的な図８００に示されているように、ＰＳＳ検出を助けるために、基地局１０５−ａは、同じサブフレーム内で（たとえば、サブフレーム３０５−ｂのシンボル２〜７内で）ＰＳＳを送信し得る。たとえば、Ｒ＝６３であり、ＰＳＳシーケンスｐが６３の長さを有するＺＣシーケンスであり得る場合、ＺＣシーケンスの６３個の複素数は、帯域幅８０５内の中心にある６３個のサブキャリアにマッピングされ得る。上記で説明されたように、ＺＣシーケンスは、基地局１０５−ａに関連するセル識別子に基づいて選択され得る（たとえば、３つのＺＣシーケンスのうちの１つが選択され得る）。いくつかの態様では、レガシーＰＳＳに関連するシーケンスとの低い相関をもつＺＣシーケンスが選択され得る。いくつかの態様では、ＰＳＳは、同期を実行するために（たとえば、ＵＥ１１５によって）レガシーＰＳＳと組み合わせられ得る。
【０１０８】
[0112]さらに示されているように、同じＲ個のサブキャリア８１０はまた、サブフレーム３０５中でＳＳＳとＰＢＣＨ（またはＰＢＣＨ拡張（ＰＢＣＨ  Ｅｘ））とをトランスポートするために使用され得る。さらに示されているように、ＳＳＳ検出を助けるために、基地局１０５−ａは、ＰＳＳがその中で送信されるサブフレームと同じサブフレーム内で（たとえば、サブフレーム３０５−ｂのシンボル８〜１３内で）ＳＳＳを送信し得る。いくつかの態様では、ＰＳＳおよびＳＳＳは、等しい数の連続するシンボル中で送信され得る（たとえば、６つの連続するシンボルの２つのセット中でのＰＳＳおよびＳＳＳの送信が、図８Ａに示されている）。いくつかの態様では、ＰＳＳおよびＳＳＳはサブフレーム中の異なる数の連続するシンボル中で送信され得る（たとえば、ＰＳＳはサブフレームのシンボル２〜６中で送信され得、ＳＳＳはサブフレームのシンボル７〜１３中で送信され得る、ＰＳＳはサブフレームのシンボル２〜９中で送信され得、ＳＳＳはシンボル１０〜１３中で送信され得る、など）。
【０１０９】
[0113]サブフレーム３０５−ａ〜３０５−ｄの時間および周波数リソースのラベルのない部分が、たとえば、レガシーＤＲＳ、レガシーＰＳＳ、レガシーＳＳＳ、ＭＦ１．０ｅＰＳＳ、ＭＦ１．０ｅＳＳＳ、レガシー物理ダウンリンク制御チャネル（ＰＤＣＣＨ）、ＳＩＢ、ＭＦ  ＳＩＢ、ＳＩＢのためのＰＤＣＣＨなど、他の情報をトランスポートするために使用され得る。
【０１１０】
[0114]いくつかの態様では、単一のサブフレーム中でＰＳＳシンボルおよびＳＳＳシンボルのすべてを有することは、有益には、（たとえば、ＰＳＳおよびＳＳＳは複数のサブフレーム中にバッファされる必要がないので）ＵＥ１１５のバッファハードウェアを節約する。いくつかの態様では、例示的な図７００および８００の送信技法は、ＵＥ１１５によるセル収集の持続時間を低減し、ワンショットＰＳＳおよびＳＳＳ検出の改善されたレートを与える。
【０１１１】
[0115]ＵＥ１１５−ａのＰＳＳ検出器が、シンボル期間のシンボルタイミングを決定するために、および基地局１０５のセル識別子グループ内のセル識別子を決定するために、サブフレーム３０５内のＰＳＳを検出し得る。図９は、本開示の様々な態様による、広帯域カバレージ拡張のための同期をサポートするＰＳＳ検出器９００の一例を示す。ＰＳＳ検出器９００は、シンボル生成器９０５と、タイミング仮説選択器９１０と、相互相関器９１５と、自己相関器９２０と、コスト決定器９２５と、シンボルタイミング決定器９３０とを含み得る。
【０１１２】
[0116]ＵＥ１１５−ａは、基地局１０５−ａによって送信された信号を受信し、受信された信号をシンボル生成器９０５に与え得る。ＵＥ１１５−ａは、たとえば、シンボル生成器９０５への入力より前に信号を処理する、ミキサおよびサイクリックプレフィックスリムーバ（cyclic prefix remover）を含み得る。シンボル生成器９０５は、タイミング仮説選択器９１０からタイミング仮説のセットτ＝［τ1，τ2，．．．τM］を受信し得、シンボル生成器９０５は、セット中の各タイミング仮説について、受信された信号からシンボルのセットを生成し得る。タイミング仮説は、シンボル期間がいつ始まり、終了するかについての候補時間間隔であり得る（図３参照）。セット中の各タイミング仮説は、時間的に互いからオフセットされ得、ＵＥ１１５−ａは、どの候補時間間隔がシンボル期間の境界と最も良く一致するかを識別するためにセット中の各タイミング仮説を検査し得る（図３参照）。
【０１１３】
[0117]シンボル生成器９０５は、各タイミング仮説において、受信された信号からシンボルを生成するために、受信された信号に対して、時間領域処理、周波数領域処理、またはその両方を実行し得る。一例では、シンボル生成器９０５は、高速フーリエ変換（ＦＦＴ）を使用して、受信された信号を生成し得る。各生成されたシンボルは、Ｒ個のサブキャリア７１０／８１０の各々において観測される複素数であり得る。
【０１１４】
[0118]基地局１０５−ａが単一のサブフレーム３０５内の定義された数Ｘ（Ｘ≧１）の連続するシンボル期間において同じＰＳＳシーケンスを送信する場合、シンボル生成器９０５は、定義された数Ｘの連続するシンボル期間について、測定されたシンボルの列ベクトルを生成する。たとえば、各周波数ビン（たとえば、サブキャリアに対応するスペクトルの部分）について、およびＸ＝６であるとき、シンボル生成器９０５は、以下の式を使用して、タイミング仮説τをもつ６つの受信されたシンボルを６つの列ベクトルに区分し得る。
【０１１５】
【数６】
0006825139.tif 000007
【０１１６】
[0119]たとえば、ＰＳＳシーケンスが６３の長さを有し、６つの連続するＯＦＤＭシンボル中で送られる場合、シンボル生成器９０５は、６つの連続するシンボル期間の各々において６３個のシンボルを有する列ベクトルｒを生成するために、受信された信号を処理する。シンボル生成器９０５は、セット中の各タイミング仮説についての６つの列ベクトルｒを含む行列Ｒを相互相関器９１５に出力する。
【０１１７】
[0120]相互相関器９１５は、以下の式を使用して相互相関シンボルｙを生成するために、各タイミング仮説についてＰＳＳシーケンスｐとカバーコードｓmとの間でチャネルコヒーレンス時間内にシンボルごとの相互相関を実行する。
【０１１８】
【数７】
0006825139.tif 000008
【０１１９】
[0121]ＰＳＳシーケンスｐとカバーコードｓmとは、ＵＥ１１５−ａによって知られ得、ＵＥ１１５−ａは、ＰＳＳシーケンスｐおよびカバーコードｓmの知識を使用し、シンボル期間の境界を識別することを試み得る。相互相関器９１５は、相互相関シンボルｙを自己相関器９２０に出力する。
【０１２０】
[0122]自己相関器９２０は、相互相関シンボルｙをコヒーレントに組み合わせるために、周波数オフセットにロバストであるシンボル単位（symbol by symbol）自己相関を実行し得る。周波数オフセットは、サブキャリアを送信するために基地局１０５−ａによって使用される周波数と、サブキャリアを復調するためにＵＥ１１５−ａによって使用される周波数との間の差であり得る。自己相関器９２０は、以下の式を使用して各タイミング仮説に対して自己相関を実行し得る。
【０１２１】
【数８】
0006825139.tif 000009
【０１２２】
[0123]この例では、ｋ＝Ｘ−１である。従来の技法は、ＳＮＲが低いシナリオにおける自己相関を回避した。本明細書で説明される例は、周波数オフセットをキャプチャし、雑音を低減するためにシンボルをコヒーレントに組み合わせるシンボル間（symbol to symbol）自己相関により、従来の技法よりも改善する。自己相関器９２０は、各タイミング仮説についての自己相関値ａkをコスト決定器９２５に出力し得る。
【０１２３】
[0124]コスト決定器９２５は、以下の式を使用して、自己相関値ａkに基づいてコスト関数を計算し得る。
【０１２４】
【数９】
0006825139.tif 000010
【０１２５】
[0125]変数ｗkは、ラグｋをもつ自己相関の重み付け係数であり得る。コスト決定器９２５は、各タイミング仮説についてのコスト値ρをシンボルタイミング決定器９３０に出力し得る。
【０１２６】
[0126]シンボルタイミング決定器９３０は、どのタイミング仮説が基地局１０５−ａによって使用されるシンボルタイミングに最も良く対応するかを決定し得る。いくつかの例では、シンボルタイミング決定器９３０は、以下の式に従ってＰＳＳ検出を実行し得る。
【０１２７】
【数１０】
0006825139.tif 000011
【０１２８】
[0127]
【０１２９】
【数１１】
0006825139.tif 000012
【０１３０】
は、タイミング仮説の平均コストρ（τ）を表し得る。
【０１３１】
[0128]タイミング推定の場合、ＵＥ１１５−ａは、比を最大化するタイミング仮説τを選択し得る。ＵＥ１１５−ａは、比の最大値がしきい値Ｔを満たす場合、ＰＳＳが検出されたと決定する。Ｔ未満である場合、ＵＥ１１５−ａは、ＰＳＳが検出されておらず、対応するタイミング仮説が有効でないと宣言する。比がＴよりも大きい場合、ＵＥ１１５−ａは、ＰＳＳが検出されたと決定し、シンボルタイミングとして比を最大化するタイミング仮説τを選択し得る。比を最大化し、しきい値Ｔを満たすタイミング仮説τは、したがって、シンボル期間の境界と最も良く一致するタイミング仮説を表し得る。いくつかの場合には、ＵＥ１１５−ａは、Ｎ個の最良のタイミング仮説（最高、しきい値Ｔを満たすすべてのタイミング仮説まで）を保持し、次いで、ＳＳＳ検出を使用してタイミング仮説のうちの１つを確認し得る。
【０１３２】
[0129]いくつかの例では、シンボルタイミング決定器９３０は、以下の式を使用して各タイミング仮説についての周波数推定値を生成し得る。
【０１３３】
【数１２】
0006825139.tif 000013
【０１３４】
[0130]いくつかの場合には、ＰＳＳ検出器９００は、セル識別子グループ内のセル識別子を決定することに関連する３つの仮説に対応する３つのシーケンスの中から１つを選択するための、シーケンス仮説選択器９３５をさらに含み得る。いくつかの場合には、ＰＳＳ検出器９００は、選択されたシーケンスに対応するセル識別子（たとえば、０、１、または２）を決定し得る。したがって、いくつかの態様では、シーケンス仮説選択器９３５は、（たとえば、ＳＳＳに関連するセル識別子グループとともに）それに基づいて物理セル識別子が決定され得るセル識別子の決定を促進する。
【０１３５】
[0131]ＵＥ１１５−ａのＳＳＳ検出器が、基地局１０５−ａのサブフレームタイミングを決定するために、最良のタイミング仮説、またはＮ個の最良のタイミング仮説を使用し得る。図１０は、本開示の様々な態様による、広帯域カバレージ拡張のための同期をサポートするＳＳＳ検出器１０００の一例を示す。ＰＳＳ検出をロバストにするために、ＰＳＳは、単一のシーケンスであり、したがって、基地局１０５−ａのセル識別子グループを伝達することができない。ＳＳＳは、セルセル識別子（たとえば、セル識別子グループごとに１６８個の別個のセル識別子）を伝達するために使用され得る。
【０１３６】
[0132]ＬＢＴ環境では、基地局１０５は、ダウンリンク送信（ＤＴｘＷ）ウィンドウ中の任意のサブフレームにおいて基準信号（たとえば、ＤＲＳ）を送信し得る。基準信号は、一般にスクランブルされ、ＵＥは、基準信号をデスクランブルするためのスクランブリングルールを決定する。ＵＥは、ＰＳＳおよびＳＳＳ検出の後に、物理ブロードキャストチャネル（ＰＢＣＨ）を復号するために、デスクランブルされた基準信号を使用する。ＰＢＣＨは、マスタ情報ブロック（ＭＩＢ）およびシステム情報ブロック（ＳＩＢ）など、ＵＥ１１５がセル収集のために使用し得る情報を含み得る。従来のシステムは、複雑度を増加させる複数のスクランブリングルールを使用し、他のページングメッセージ、ＵＥデータなどとの基準信号（たとえば、ＤＲＳ）の多重化を妨げ得る。
【０１３７】
[0133]本明細書で説明される例では、ＳＳＳシーケンスは、セル識別子グループを用いて、および随意に、基準信号のサブフレームオフセットを指示するためのビットを用いて符号化され得る。各スクランブリングルールは、１つまたは複数のサブフレームロケーションに対応し得る。サブフレームオフセットは、特定のサブフレームロケーションを指示し得、ＵＥ１１５−ａは、基準信号をデスクランブルするための、サブフレームオフセットにおいて指示されるサブフレームロケーションに対応するスクランブリングルールを選択し得る。ＰＳＳ検出のように、本明細書の例は、定義された数Ｘの連続するＯＦＤＭシンボル（サブフレーム３０５−ｂのシンボル期間８〜１３、図８Ａ参照）中でＳＳＳシーケンスを送信することによって、定義されたワンショット検出確率ターゲットを達成し得る。たとえば、Ｘ＝６とＣＲＳオーバーヘッド係数（１３２／１４４）の場合のサブキャリアごとの−１２ｄＢ  ＳＩＮＲにおけるＳＳＳ容量は、ＡＷＧＮチャネルでは、（｜ｈ｜＾２＝１）→６２＊６＊（１３２／１４４）＊ｌｏｇ２（１＋０．０６３１）＝３０．３２ビットであり、フェージングチャネルでは、（｜ｈ｜＾２＝０．５）→１５．３９ビットである。したがって、５０％のワンショット検出確率ターゲット→Ｐ（｜ｈ｜＾２＞０．５）＝０．６１が達成され得る。
【０１３８】
[0134]一例では、ＳＳＳ検出器１０００は、シンボル生成器１００５と、マッパ１０１０と、ＳＳＳデコーダ１０１５と、サブフレームタイミング決定器１０２０とを含み得る。シンボル生成器１００５は、シンボル生成器９０５と同様に動作し得る。シンボル生成器１００５は、最良のタイミング仮説に対応するシンボルタイミングおよび周波数推定値を受信し得るか、または、しきい値Ｔを満たすタイミング仮説の一部または全部に対応するシンボルタイミングおよび周波数推定値を受信し得る。以下は、単一のタイミング仮説について説明し、現在のタイミング仮説が適切に復号することに失敗した場合に異なるタイミング仮説を試みるためのフィードバック経路１０２５を含み得る。
【０１３９】
[0135]ＳＳＳ検出器１０００は、入力シンボルタイミングおよび入力周波数推定値の関数としてＳＳＳシンボルシーケンスＳ’1〜Ｓ’Nを生成するために、受信された信号を処理し得る。マッパ１０１０は、図６のテーブル６００を使用して、インデックス値を決定するために各ＳＳＳシンボルシーケンスＳ’1〜Ｓ’Nについてのルートおよびサイクリックシフトを決定し得、それぞれ、決定されたインデックス値を使用して値Ｂ1〜ＢNを決定し得る。
【０１４０】
[0136]ＳＳＳデコーダ１０１５は、セル識別子グループビットとサブフレームオフセットビットとを取り出すために値Ｂ1〜ＢNを復号することを試み得る。成功せず、少なくとも１つの追加のタイミング仮説がある場合、ＳＳＳデコーダ１０１５は、復号エラーを出力し、シンボル生成器１００５に、異なるタイミング仮説を使用してＳＳＳシンボルシーケンスＳ’1〜Ｓ’Nの別のセットを生成するように命令するメッセージを、フィードバック経路１０２５を介して送り得る。追加のタイミング仮説がない場合、ＳＳＳデコーダ１０１５は復号エラーを出力し得、ＵＥ１１５は、２回目に（または後続の時間に）ＰＳＳ検出を実行し得る。セル識別子グループビットとサブフレームオフセットビットとを生成することができた場合、ＳＳＳデコーダ１０１５は、セル識別子グループビットとサブフレームオフセットビットとをサブフレームタイミング決定器１０２０に出力し得る。
【０１４１】
[0137]サブフレームタイミング決定器１０２０は、フレーム２１０内のサブフレーム３０５についてのサブフレームタイミングを決定するために、セル識別子グループビットとサブフレームオフセットビットとを処理し得る。ＳＳＳシーケンスが、連続するＯＦＤＭシンボル（サブフレーム３０５−ｂのシンボル期間８〜１３、図８Ａ参照）中で送信された場合、サブフレームタイミング決定器１０２０は、連続するＯＦＤＭシンボルを含むサブフレームを検出すると、フレーム２１０内のサブフレーム３０５−ｂのロケーションを決定し得る。サブフレームタイミング決定器１０２０は、サブフレームタイミングを決定するために、サブフレーム３０５−ｂの決定されたロケーションとシンボルタイミングとを使用し得る。たとえば、ＳＳＳをトランスポートするサブフレーム３０５は、ＰＳＳをトランスポートするサブフレーム３０５に対する複数の指定されたロケーションのうちの１つ中にあり得、サブフレームタイミング決定器１０２０が相対ロケーションを決定したとき、サブフレームタイミング決定器１０２０は、フレーム２１０の境界と、フレーム２１０内のサブフレーム境界のタイミングとを決定することが可能であり得る。
【０１４２】
[0138]ＳＳＳシーケンスが、連続するフレームの１つのシンボル（それぞれ、サブフレーム３０５−ａおよびサブフレーム３０５−ｂ〜３０５−ｄのシンボル期間５および６、図７Ａ参照）中で送信された場合、サブフレームタイミング決定器１０２０は、複数のサブフレーム中でＳＳＳを検出すると、フレーム２１０内のサブフレーム３０５のロケーションを決定し得る。たとえば、サブフレームタイミング決定器１０２０は、サブフレーム中で同期信号を搬送する一連のシンボルを識別し得、一連のシンボル内のＳＳＳのロケーションを決定し得、そのロケーションに対してフレーム２１０の境界を決定し得、フレーム２１０の境界に対してフレーム２１０内のサブフレーム境界のタイミングを決定し得る。
【０１４３】
[0139]サブフレームタイミング決定器１０２０は、１つまたは複数の基準信号をデスクランブルするためにどのスクランブリングルールを適用すべきかをも決定し得る。上述のように、各スクランブリングルールは、１つの１つまたは複数のサブフレームロケーションに対応し得る。サブフレームタイミング決定器１０２０は、フレーム２１０内の特定のサブフレームロケーションを決定するためにサブフレームオフセットビットを処理し得、ＵＥ１１５−ａは、基準信号をデスクランブルするための、サブフレームオフセットにおいて指示されるサブフレームロケーションに対応するサブフレームルールを選択し得る。ＵＥ１１５−ａは、１つまたは複数のサブフレーム内で基準信号（たとえば、セル固有基準信号（ＣＲＳ）、チャネル状態情報基準信号（ＣＳＩ−ＲＳ））をデスクランブルするためにスクランブリングルールを適用し、チャネル収集を完了するためにＰＢＣＨを復号する（たとえば、ＭＩＢ、ＳＩＢなどを復号する）ために、デスクランブルされた基準信号を使用し得る。
【０１４４】
[0140]有益には、本明細書で説明される例は、ワンショット検出の確率を改善するＰＳＳおよびＳＳＳ検出技法を提供し得る。その上、本明細書で説明される技法は、サブフレームタイミングと基準信号のためのスクランブリングルールとを決定するために使用され得るＳＳＳシーケンス中で、セル識別子グループ、基準信号のためのサブフレームオフセット、またはその両方を符号化し得る。
【０１４５】
[0141]図１１は、本開示の態様による、広帯域カバレージ拡張のための同期をサポートするワイヤレスデバイス１１０５のブロック図１１００を示す。ワイヤレスデバイス１１０５は、本明細書で説明されるユーザ機器（ＵＥ）１１５の態様の一例であり得る。ワイヤレスデバイス１１０５は、受信機１１１０と、ＵＥ通信マネージャ１１１５と、送信機１１２０とを含み得る。ワイヤレスデバイス１１０５はプロセッサをも含み得る。これらの構成要素の各々は、（たとえば、１つまたは複数のバスを介して）互いと通信していることがある。
【０１４６】
[0142]受信機１１１０は、パケット、ユーザデータ、または様々な情報チャネルに関連する制御情報（たとえば、制御チャネル、データチャネル、および広帯域カバレージ拡張のための同期に関係する情報など）などの情報を受信し得る。情報は、デバイスの他の構成要素に受け渡され得る。受信機１１１０は、図１４を参照しながら説明されるトランシーバ１４３５の態様の一例であり得る。受信機１１１０は、単一のアンテナまたはアンテナのセットを利用し得る。
【０１４７】
[0143]ＵＥ通信マネージャ１１１５は、図１４を参照しながら説明されるＵＥ通信マネージャ１４１５の態様の一例であり得る。
【０１４８】
[0144]ＵＥ通信マネージャ１１１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ１１１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実行するように設計されたそれらの任意の組合せによって実行され得る。ＵＥ通信マネージャ１１１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ通信マネージャ１１１５および／またはそれの様々な副構成要素のうちの少なくともいくつかは、本開示の様々な態様による、分離したおよび別個の構成要素であり得る。他の例では、ＵＥ通信マネージャ１１１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わせられ得る。
【０１４９】
[0145]ＵＥ通信マネージャ１１１５は、ＵＥによって、基地局から信号を受信し、タイミング仮説に基づいて信号からシンボルのセットを生成し、相互相関シンボルのセットを生成するためにシンボルのセットをシーケンスと相互相関させ、自己相関値のセットを生成するために相互相関シンボルを自己相関させ、自己相関値に基づいてＵＥを基地局と同期させ得る。ＵＥ通信マネージャ１１１５はまた、ＵＥによって、基地局によって送信された信号に基づいて２次同期信号（ＳＳＳ）シーケンスを生成し、ＵＥによって、ＳＳＳシーケンスに基づいて基地局のセル識別子グループを決定し、ＳＳＳシーケンスとセル識別子グループとに基づいてＵＥを基地局と同期させ得る。
【０１５０】
[0146]送信機１１２０は、デバイスの他の構成要素によって生成された信号を送信し得る。いくつかの例では、送信機１１２０は、トランシーバモジュール中で受信機１１１０とコロケートされ得る。たとえば、送信機１１２０は、図１４を参照しながら説明されるトランシーバ１４３５の態様の一例であり得る。送信機１１２０は、単一のアンテナまたはアンテナのセットを利用し得る。
【０１５１】
[0147]図１２は、本開示の態様による、広帯域カバレージ拡張のための同期をサポートするワイヤレスデバイス１２０５のブロック図１２００を示す。ワイヤレスデバイス１２０５は、図１１を参照しながら説明されたワイヤレスデバイス１１０５またはＵＥ１１５の態様の一例であり得る。ワイヤレスデバイス１２０５は、受信機１２１０と、ＵＥ通信マネージャ１２１５と、送信機１２２０とを含み得る。ワイヤレスデバイス１２０５はプロセッサをも含み得る。これらの構成要素の各々は、（たとえば、１つまたは複数のバスを介して）互いと通信していることがある。
【０１５２】
[0148]受信機１２１０は、パケット、ユーザデータ、または様々な情報チャネルに関連する制御情報（たとえば、制御チャネル、データチャネル、および広帯域カバレージ拡張のための同期に関係する情報など）などの情報を受信し得る。情報は、デバイスの他の構成要素に受け渡され得る。受信機１２１０は、図１４を参照しながら説明されるトランシーバ１４３５の態様の一例であり得る。受信機１２１０は、単一のアンテナまたはアンテナのセットを利用し得る。
【０１５３】
[0149]ＵＥ通信マネージャ１２１５は、図１４を参照しながら説明されるＵＥ通信マネージャ１４１５の態様の一例であり得る。
【０１５４】
[0150]ＵＥ通信マネージャ１２１５は、信号プロセッサ１２２５と、シンボル生成器１２３０と、相互相関器１２３５と、自己相関器１２４０と、シンボルタイミング決定器１２４５と、セル識別子決定器１２５０と、サブフレームタイミング決定器１２５５とをも含み得る。
【０１５５】
[0151]信号プロセッサ１２２５は、基地局から信号を受信し得る。
【０１５６】
[0152]シンボル生成器１２３０は、タイミング仮説に基づいて信号からシンボルのセットを生成し、ＵＥを基地局と同期させることに基づいて信号からＳＳＳシーケンスを生成し得る。いくつかの場合には、シンボル生成器１２３０は、基地局によって送信された信号に基づいてＳＳＳシーケンスを生成し、基地局から１次同期信号を受信し得る。いくつかの場合には、タイミング仮説に基づいて信号からシンボルのセットを生成することは、周波数ビンのセットの各周波数ビンについて、信号からの定義された数のシンボルを、定義された数の列ベクトルに区分することを含む。いくつかの場合には、ＳＳＳシーケンスは、ガロア体アルファベットと生成多項式とを使用して短縮化リードソロモンエンコーダによって生成されたコードワードのセットを第１のインデックスにマッピングすることによって生成される。いくつかの場合には、信号からのシンボルのセットは、フレームの１つまたは複数のサブフレームの持続時間に対応する時間間隔内に生成される。いくつかの場合には、ＳＳＳシーケンスを生成することは、ガロア体アルファベットを使用して動作するエンコーダによって生成されたコードワードのセットをルートとサイクリックシフトとにマッピングすることを含む。いくつかの場合には、コードワードのセットの各々は、生成多項式を使用してエンコーダによって生成される。
【０１５７】
[0153]相互相関器１２３５は、相互相関シンボルのセットを生成するためにシンボルのセットをシーケンスと相互相関させ得る。いくつかの場合には、シーケンスは、同期シンボルのセットとカバーコードとに基づく。
【０１５８】
[0154]自己相関器１２４０は、自己相関値のセットを生成するために相互相関シンボルを自己相関させ得る。
【０１５９】
[0155]シンボルタイミング決定器１２４５は、自己相関値に基づいてＵＥを基地局と同期させ得る。いくつかの場合には、ＵＥを基地局と同期させることは、基地局のシンボルタイミングとして第１のタイミング仮説または第２のタイミング仮説のうちの１つを選択することを含む。シンボルタイミング決定器１２４５は、１次同期信号に基づいてシンボルタイミングを確立し、ここで、ＳＳＳシーケンスを生成することはシンボルタイミングに基づく。
【０１６０】
[0156]セル識別子決定器１２５０は、ＳＳＳシーケンスに基づいて（たとえば、ＳＳＳに関連するセル識別子グループに基づいて）、およびＰＳＳシーケンス（たとえば、ＰＳＳに関連するセル識別子に基づいて）基地局の物理セル識別情報を決定し得る。
【０１６１】
[0157]サブフレームタイミング決定器１２５５は、ＳＳＳシーケンスに基づいてサブフレームタイミングを決定し、ＳＳＳシーケンスと物理セル識別情報とに基づいてＵＥを基地局と同期させ、ＳＳＳシーケンスに基づいて基準信号のためのサブフレームオフセットを決定し得る。いくつかの場合には、ＵＥを基地局と同期させることは、ＳＳＳシーケンスに基づいて基地局のサブフレームタイミングを決定することを含む。
【０１６２】
[0158]送信機１２２０は、デバイスの他の構成要素によって生成された信号を送信し得る。いくつかの例では、送信機１２２０は、トランシーバモジュール中で受信機１２１０とコロケートされ得る。たとえば、送信機１２２０は、図１４を参照しながら説明されるトランシーバ１４３５の態様の一例であり得る。送信機１２２０は、単一のアンテナまたはアンテナのセットを利用し得る。
【０１６３】
[0159]図１３は、本開示の態様による、広帯域カバレージ拡張のための同期をサポートするＵＥ通信マネージャ１３１５のブロック図１３００を示す。ＵＥ通信マネージャ１３１５は、図１１、図１２、および図１４を参照しながら説明されるＵＥ通信マネージャ１１１５、ＵＥ通信マネージャ１２１５、またはＵＥ通信マネージャ１４１５の態様の一例であり得る。ＵＥ通信マネージャ１３１５は、信号プロセッサ１３２０と、シンボル生成器１３２５と、相互相関器１３３０と、自己相関器１３３５と、シンボルタイミング決定器１３４０と、セル識別子決定器１３４５と、サブフレームタイミング決定器１３５０と、コスト決定器１３５５と、周波数推定器１３６０と、マッパ１３６５と、オフセット決定器１３７０と、スクランブリングルール決定器１３７５と、デコーダ１３８０と、デスクランブラ１３８５とを含み得る。これらのモジュールの各々は、直接または間接的に、（たとえば、１つまたは複数のバスを介して）互いと通信し得る。
【０１６４】
[0160]信号プロセッサ１３２０は、基地局から信号を受信し得る。
【０１６５】
[0161]シンボル生成器１３２５は、タイミング仮説に基づいて信号からシンボルのセットを生成し、ＵＥを基地局と同期させることに基づいて信号からＳＳＳシーケンスを生成し得る。いくつかの場合には、シンボル生成器１３２５は、基地局によって送信された信号に基づいてＳＳＳシーケンスを生成し、基地局から１次同期信号を受信し得る。いくつかの場合には、タイミング仮説に基づいて信号からシンボルのセットを生成することは、周波数ビンのセットの各周波数ビンについて、信号からの定義された数のシンボルを、定義された数の列ベクトルに区分することを含む。いくつかの場合には、ＳＳＳシーケンスは、ガロア体アルファベットと生成多項式とを使用して短縮化リードソロモンエンコーダによって生成されたコードワードのセットを第１のインデックスにマッピングすることによって生成される。いくつかの場合には、信号からのシンボルのセットは、フレームの１つまたは複数のサブフレームの持続時間に対応する時間間隔内に生成される。いくつかの場合には、ＳＳＳシーケンスを生成することは、ガロア体アルファベットを使用して動作するエンコーダによって生成されたコードワードのセットをルートとサイクリックシフトとにマッピングすることを含む。いくつかの場合には、コードワードのセットの各々は、生成多項式を使用してエンコーダによって生成される。
【０１６６】
[0162]相互相関器１３３０は、相互相関シンボルのセットを生成するためにシンボルのセットをシーケンスと相互相関させ得る。いくつかの場合には、シーケンスは、同期シンボルのセットとカバーコードとに基づく。
【０１６７】
[0163]自己相関器１３３５は、自己相関値のセットを生成するために相互相関シンボルを自己相関させ得る。
【０１６８】
[0164]シンボルタイミング決定器１３４０は、自己相関値に基づいてＵＥを基地局と同期させ得る。いくつかの場合には、ＵＥを基地局と同期させることは、基地局のシンボルタイミングとして第１のタイミング仮説または第２のタイミング仮説のうちの１つを選択することを含む。シンボルタイミング決定器１３４０は、１次同期信号に基づいてシンボルタイミングを確立し得、ここで、ＳＳＳシーケンスを生成することはシンボルタイミングに基づく。
【０１６９】
[0165]セル識別子決定器１３４５は、ＳＳＳシーケンスに基づいて（たとえば、ＳＳＳに関連するセル識別子グループに基づいて）、およびＰＳＳシーケンス（たとえば、ＰＳＳに関連するセル識別子に基づいて）基地局の物理セル識別情報を決定し得る。
【０１７０】
[0166]サブフレームタイミング決定器１３５０は、ＳＳＳシーケンスに基づいてサブフレームタイミングを決定し、ＳＳＳシーケンスと物理セル識別情報とに基づいてＵＥを基地局と同期させ、ＳＳＳシーケンスに基づいて基準信号のためのサブフレームオフセットを決定し得る。いくつかの場合には、ＵＥを基地局と同期させることは、ＳＳＳシーケンスに基づいて基地局のサブフレームタイミングを決定することを含む。
【０１７１】
[0167]コスト決定器１３５５は、自己相関値に基づいてタイミング仮説についてのコストを計算し得、ここで、ＵＥを基地局と同期させることは、計算されたコストの、しきい値との比較に基づく。コスト決定器１３５５は、自己相関値の第２のセットに基づいて第２のタイミング仮説についての第２のコストを計算し得、ここで、ＵＥを基地局と同期させることは、さらに、第２の計算されたコストの、しきい値との比較に基づく。
【０１７２】
[0168]周波数推定器１３６０は、計算されたコストに基づいてタイミング仮説についての周波数推定値を決定し得る。
【０１７３】
[0169]マッパ１３６５は、ＳＳＳシーケンスをインデックスのセットの第１のインデックスにマッピングし得、ＳＳＳシーケンスを第１のインデックスにマッピングするは、ＳＳＳシーケンスのルートおよびサイクリックシフトを第１のインデックスにマッピングすることを含む。
【０１７４】
[0170]オフセット決定器１３７０は、ＳＳＳシーケンスに基づいて基準信号のためのサブフレームオフセットを決定し得る。
【０１７５】
[0171]スクランブリングルール決定器１３７５は、サブフレームオフセットに基づいて基準信号のためのスクランブリングルールを決定し、スクランブリングルールに基づいて基準信号をデスクランブルし得る。
【０１７６】
[0172]デコーダ１３８０は、基準信号に基づいてチャネルを復号し得る。
【０１７７】
[0173]デスクランブラ１３８５は、サブフレームオフセットに基づいて基準信号のためのスクランブリングルールを決定し、スクランブリングルールに基づいて基準信号をデスクランブルし得る。
【０１７８】
[0174]図１４は、本開示の態様による、広帯域カバレージ拡張のための同期をサポートするデバイス１４０５を含むシステム１４００の図を示す。デバイス１４０５は、たとえば、図１１および図１２を参照しながら上記で説明されたワイヤレスデバイス１１０５、ワイヤレスデバイス１２０５、またはＵＥ１１５の構成要素の一例であるか、またはそれを含み得る。デバイス１４０５は、ＵＥ通信マネージャ１４１５と、プロセッサ１４２０と、メモリ１４２５と、ソフトウェア１４３０と、トランシーバ１４３５と、アンテナ１４４０と、Ｉ／Ｏコントローラ１４４５とを含む、通信を送信および受信するための構成要素を含む双方向音声およびデータ通信のための構成要素を含み得る。これらの構成要素は、１つまたは複数のバス（たとえば、バス１４１０）を介して電子通信していることがある。デバイス１４０５は、１つまたは複数の基地局１０５とワイヤレス通信し得る。
【０１７９】
[0175]プロセッサ１４２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１４２０は、メモリコントローラを使用してメモリアレイを動作させるように構成され得る。他の場合には、メモリコントローラはプロセッサ１４２０に組み込まれ得る。プロセッサ１４２０は、様々な機能（たとえば、広帯域カバレージ拡張のための同期をサポートする機能またはタスク）を実行するために、メモリに記憶されたコンピュータ可読命令を実行するように構成され得る。
【０１８０】
[0176]メモリ１４２５は、ランダムアクセスメモリ（ＲＡＭ）および読取り専用メモリ（ＲＯＭ）を含み得る。メモリ１４２５は、実行されたとき、プロセッサに本明細書で説明される様々な機能を実行させる命令を含むコンピュータ可読、コンピュータ実行可能ソフトウェア１４３０を記憶し得る。いくつかの場合には、メモリ１４２５は、特に、周辺構成要素またはデバイスとの対話など、基本ハードウェアまたはソフトウェア動作を制御し得る基本入出力システム（ＢＩＯＳ）を含んでいることがある。
【０１８１】
[0177]ソフトウェア１４３０は、広帯域カバレージ拡張のための同期をサポートするためのコードを含む、本開示の態様を実装するためのコードを含み得る。ソフトウェア１４３０は、システムメモリまたは他のメモリなど、非一時的コンピュータ可読媒体に記憶され得る。いくつかの場合には、ソフトウェア１４３０は、プロセッサによって直接的に実行可能でないことがあるが、（たとえば、コンパイルされ実行されたとき）コンピュータに本明細書で説明される機能を実行させ得る。
【０１８２】
[0178]トランシーバ１４３５は、上記で説明されたように、１つまたは複数のアンテナ、ワイヤードリンク、またはワイヤレスリンクを介して、双方向に通信し得る。たとえば、トランシーバ１４３５は、ワイヤレストランシーバを表し得、別のワイヤレストランシーバと双方向に通信し得る。トランシーバ１４３５はまた、パケットを変調し、変調されたパケットを送信のためにアンテナに与えるための、およびアンテナから受信されたパケットを復調するためのモデムを含み得る。
【０１８３】
[0179]いくつかの場合には、ワイヤレスデバイスは単一のアンテナ１４４０を含み得る。しかしながら、いくつかの場合には、デバイスは、複数のワイヤレス送信をコンカレントに送信または受信することが可能であり得る２つ以上のアンテナ１４４０を有し得る。
【０１８４】
[0180]Ｉ／Ｏコントローラ１４４５は、デバイス１４０５のための入力信号および出力信号を管理し得る。Ｉ／Ｏコントローラ１４４５は、デバイス１４０５に組み込まれていない周辺機器をも管理し得る。いくつかの場合には、Ｉ／Ｏコントローラ１４４５は、外部周辺機器への物理接続またはポートを表し得る。いくつかの場合には、Ｉ／Ｏコントローラ１４４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他の場合には、Ｉ／Ｏコントローラ１４４５は、モデム、キーボード、マウス、タッチスクリーン、または同様のデバイスを表すか、またはそれと対話し得る。いくつかの場合には、Ｉ／Ｏコントローラ１４４５は、プロセッサの一部として実装され得る。いくつかの場合には、ユーザは、Ｉ／Ｏコントローラ１４４５を介して、またはＩ／Ｏコントローラ１４４５によって制御されるハードウェア構成要素を介してデバイス１４０５と対話し得る。
【０１８５】
[0181]図１５は、本開示の態様による、広帯域カバレージ拡張のための同期をサポートするワイヤレスデバイス１５０５のブロック図１５００を示す。ワイヤレスデバイス１５０５は、本明細書で説明される基地局１０５の態様の一例であり得る。ワイヤレスデバイス１５０５は、受信機１５１０と、基地局通信マネージャ１５１５と、送信機１５２０とを含み得る。ワイヤレスデバイス１５０５は、プロセッサをも含み得る。これらの構成要素の各々は、（たとえば、１つまたは複数のバスを介して）互いと通信していることがある。
【０１８６】
[0182]受信機１５１０は、パケット、ユーザデータ、または様々な情報チャネルに関連する制御情報（たとえば、制御チャネル、データチャネル、および広帯域カバレージ拡張のための同期に関係する情報など）などの情報を受信し得る。情報は、デバイスの他の構成要素に受け渡され得る。受信機１５１０は、図１８を参照しながら説明されるトランシーバ１８３５の態様の一例であり得る。受信機１５１０は、単一のアンテナまたはアンテナのセットを利用し得る。
【０１８７】
[0183]基地局通信マネージャ１５１５は、図１８を参照しながら説明される基地局通信マネージャ１８１５の態様の一例であり得る。
【０１８８】
[0184]基地局通信マネージャ１５１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ１５１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実行するように設計されたそれらの任意の組合せによって実行され得る。基地局通信マネージャ１５１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局通信マネージャ１５１５および／またはそれの様々な副構成要素のうちの少なくともいくつかは、本開示の様々な態様による、分離したおよび別個の構成要素であり得る。他の例では、基地局通信マネージャ１５１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わせられ得る。
【０１８９】
[0185]基地局通信マネージャ１５１５は、短縮化リードソロモン（ＲＳ）エンコーダによって、基地局のセル識別子グループに基づいてＳＳＳシーケンスを生成し、ＳＳＳシーケンスを送信し得る。
【０１９０】
[0186]送信機１５２０は、デバイスの他の構成要素によって生成された信号を送信し得る。いくつかの例では、送信機１５２０は、トランシーバモジュール中で受信機１５１０とコロケートされ得る。たとえば、送信機１５２０は、図１８を参照しながら説明されるトランシーバ１８３５の態様の一例であり得る。送信機１５２０は、単一のアンテナまたはアンテナのセットを利用し得る。
【０１９１】
[0187]図１６は、本開示の態様による、広帯域カバレージ拡張のための同期をサポートするワイヤレスデバイス１６０５のブロック図１６００を示す。ワイヤレスデバイス１６０５は、図１５を参照しながら説明されたワイヤレスデバイス１５０５または基地局１０５の態様の一例であり得る。ワイヤレスデバイス１６０５は、受信機１６１０と、基地局通信マネージャ１６１５と、送信機１６２０とを含み得る。ワイヤレスデバイス１６０５は、プロセッサをも含み得る。これらの構成要素の各々は、（たとえば、１つまたは複数のバスを介して）互いと通信していることがある。
【０１９２】
[0188]受信機１６１０は、パケット、ユーザデータ、または様々な情報チャネルに関連する制御情報（たとえば、制御チャネル、データチャネル、および広帯域カバレージ拡張のための同期に関係する情報など）などの情報を受信し得る。情報は、デバイスの他の構成要素に受け渡され得る。受信機１６１０は、図１８を参照しながら説明されるトランシーバ１８３５の態様の一例であり得る。受信機１６１０は、単一のアンテナまたはアンテナのセットを利用し得る。
【０１９３】
[0189]基地局通信マネージャ１６１５は、図１８を参照しながら説明される基地局通信マネージャ１８１５の態様の一例であり得る。
【０１９４】
[0190]基地局通信マネージャ１６１５はまた、シーケンス生成器１６２５と、ＳＳＳプロセッサ１６３０とを含み得る。
【０１９５】
[0191]シーケンス生成器１６２５は、短縮化リードソロモン（ＲＳ）エンコーダによって、基地局のセル識別子グループに基づいてＳＳＳシーケンスを生成し得、ＳＳＳシーケンスを生成するはさらに、フレーム内の基準信号のサブフレームオフセットに基づく。いくつかの場合には、ＳＳＳシーケンスは、定義されたルートと定義されたサイクリックシフトとを有するＺａｄｏｆｆ−Ｃｈｕシーケンスである。
【０１９６】
[0192]ＳＳＳプロセッサ１６３０は、ＳＳＳシーケンスを送信し得る。
【０１９７】
[0193]送信機１６２０は、デバイスの他の構成要素によって生成された信号を送信し得る。いくつかの例では、送信機１６２０は、トランシーバモジュール中で受信機１６１０とコロケートされ得る。たとえば、送信機１６２０は、図１８を参照しながら説明されるトランシーバ１８３５の態様の一例であり得る。送信機１６２０は、単一のアンテナまたはアンテナのセットを利用し得る。
【０１９８】
[0194]図１７は、本開示の態様による、広帯域カバレージ拡張のための同期をサポートする基地局通信マネージャ１７１５のブロック図１７００を示す。基地局通信マネージャ１７１５は、図１５、図１６、および図１８を参照しながら説明される基地局通信マネージャ１８１５の態様の一例であり得る。基地局通信マネージャ１７１５は、シーケンス生成器１７２０と、ＳＳＳプロセッサ１７２５と、１次同期信号（ＰＳＳ）エンコーダ１７３０と、ＰＳＳプロセッサ１７３５と、マッパ１７４０とを含み得る。これらのモジュールの各々は、直接または間接的に、（たとえば、１つまたは複数のバスを介して）互いと通信し得る。
【０１９９】
[0195]シーケンス生成器１７２０は、短縮化リードソロモン（ＲＳ）エンコーダによって、基地局のセル識別子グループに基づいてＳＳＳシーケンスを生成し得、ＳＳＳシーケンスを生成するはさらに、フレーム内の基準信号のサブフレームオフセットに基づく。いくつかの場合には、ＳＳＳシーケンスは、定義されたルートと定義されたサイクリックシフトとを有するＺａｄｏｆｆ−Ｃｈｕシーケンスである。
【０２００】
[0196]ＳＳＳプロセッサ１７２５は、ＳＳＳシーケンスを送信し得る。
【０２０１】
[0197]ＰＳＳエンコーダ１７３０は、符号化されたＰＳＳシーケンスを生成するために、カバーコードを用いてＰＳＳシーケンスを符号化し得る。
【０２０２】
[0198]ＰＳＳプロセッサ１７３５は、フレームのサブフレーム内で、定義された回数、符号化されたＰＳＳシーケンスを送信し得る。
【０２０３】
[0199]マッパ１７４０は、各々が定義されたルートと定義されたサイクリックシフトとを有するＺａｄｏｆｆ−Ｃｈｕシーケンスのセットにガロア体アルファベットをマッピングするテーブルを記憶し得る。
【０２０４】
[0200]図１８は、本開示の態様による、広帯域カバレージ拡張のための同期をサポートするデバイス１８０５を含むシステム１８００の図を示す。デバイス１８０５は、たとえば、図１を参照しながら上記で説明された基地局１０５の構成要素の一例であるか、またはそれを含み得る。デバイス１８０５は、基地局通信マネージャ１８１５と、プロセッサ１８２０と、メモリ１８２５と、ソフトウェア１８３０と、トランシーバ１８３５と、アンテナ１８４０と、ネットワーク通信マネージャ１８４５と、局間通信マネージャ１８５０とを含む、通信を送信および受信するための構成要素を含む双方向音声およびデータ通信のための構成要素を含み得る。これらの構成要素は、１つまたは複数のバス（たとえば、バス１８１０）を介して電子通信していることがある。デバイス１８０５は、１つまたは複数のＵＥ１１５とワイヤレス通信し得る。
【０２０５】
[0201]プロセッサ１８２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１８２０は、メモリコントローラを使用してメモリアレイを動作させるように構成され得る。他の場合には、メモリコントローラはプロセッサ１８２０に組み込まれ得る。プロセッサ１８２０は、様々な機能（たとえば、広帯域カバレージ拡張のための同期をサポートする機能またはタスク）を実行するために、メモリに記憶されたコンピュータ可読命令を実行するように構成され得る。
【０２０６】
[0202]メモリ１８２５はＲＡＭとＲＯＭとを含み得る。メモリ１８２５は、実行されたとき、プロセッサに本明細書で説明される様々な機能を実行させる命令を含むコンピュータ可読、コンピュータ実行可能ソフトウェア１８３０を記憶し得る。いくつかの場合には、メモリ１８２５は、特に、周辺構成要素またはデバイスとの対話など、基本ハードウェアまたはソフトウェア動作を制御し得るＢＩＯＳを含んでいることがある。
【０２０７】
[0203]ソフトウェア１８３０は、広帯域カバレージ拡張のための同期をサポートするためのコードを含む、本開示の態様を実装するためのコードを含み得る。ソフトウェア１８３０は、システムメモリまたは他のメモリなど、非一時的コンピュータ可読媒体に記憶され得る。いくつかの場合には、ソフトウェア１８３０は、プロセッサによって直接的に実行可能でないことがあるが、（たとえば、コンパイルされ実行されたとき）コンピュータに本明細書で説明される機能を実行させ得る。
【０２０８】
[0204]トランシーバ１８３５は、上記で説明されたように、１つまたは複数のアンテナ、ワイヤードリンク、またはワイヤレスリンクを介して、双方向に通信し得る。たとえば、トランシーバ１８３５は、ワイヤレストランシーバを表し得、別のワイヤレストランシーバと双方向に通信し得る。トランシーバ１８３５はまた、パケットを変調し、変調されたパケットを送信のためにアンテナに与えるための、およびアンテナから受信されたパケットを復調するためのモデムを含み得る。
【０２０９】
[0205]いくつかの場合には、ワイヤレスデバイスは単一のアンテナ１８４０を含み得る。しかしながら、いくつかの場合には、デバイスは、複数のワイヤレス送信をコンカレントに送信または受信することが可能であり得る２つ以上のアンテナ１８４０を有し得る。
【０２１０】
[0206]ネットワーク通信マネージャ１８４５は、（たとえば、１つまたは複数のワイヤードバックホールリンクを介して）コアネットワークとの通信を管理し得る。たとえば、ネットワーク通信マネージャ１８４５は、１つまたは複数のＵＥ１１５など、クライアントデバイスのためのデータ通信の転送を管理し得る。
【０２１１】
[0207]局間通信マネージャ１８５０は、他の基地局１０５との通信を管理し得、他の基地局１０５と協働してＵＥ１１５との通信を制御するためのコントローラまたはスケジューラを含み得る。たとえば、局間通信マネージャ１８５０は、ビームフォーミングまたはジョイント送信などの様々な干渉緩和技法のためのＵＥ１１５への送信のためのスケジューリングを協調させ得る。いくつかの例では、局間通信マネージャ１８５０は、基地局１０５間の通信を行うために、ロングタームエボリューション（ＬＴＥ）／ＬＴＥ−Ａワイヤレス通信ネットワーク技術内のＸ２インターフェースを与え得る。
【０２１２】
[0208]図１９は、本開示の態様による、広帯域カバレージ拡張のための同期のための方法１９００を示すフローチャートを示す。方法１９００の動作は、本明細書で説明されたように、ＵＥ１１５またはそれの構成要素によって実装され得る。たとえば、方法１９００の動作は、図１１〜図１４を参照しながら説明されたように、ＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０２１３】
[0209]ブロック１９０５において、ＵＥ１１５は、フレームのサブフレーム中でＰＳＳおよびＳＳＳを受信し得、ＳＳＳは、ＰＳＳがその中で受信されるサブフレームのシンボルの後、および他の同期信号のセットがその中で受信されるサブフレームのシンボルのセットの後にある、サブフレームのシンボル中で受信される。ブロック１９０５の動作は、本明細書で説明される方法に従って実行され得る。いくつかの例では、ブロック１９０５の動作の態様は、図１１〜図１４を参照しながら説明されたように、信号プロセッサによって実行され得る。
【０２１４】
[0210]ブロック１９１０において、ＵＥ１１５は、サブフレーム中で受信されたＰＳＳおよびＳＳＳに少なくとも部分的に基づいて基地局１０５と同期し得る。ブロック１９１０の動作は、本明細書で説明された方法に従って実行され得る。いくつかの例では、ブロック１９１０の動作の態様は、図１１〜図１４を参照しながら説明されたように、シンボル生成器によって実行され得る。
【０２１５】
[0211]図２０は、本開示の態様による、広帯域カバレージ拡張のための同期のための方法２０００を示すフローチャートを示す。方法２０００の動作は、本明細書で説明されたように、ＵＥ１１５またはそれの構成要素によって実装され得る。たとえば、方法２０００の動作は、図１１〜図１４を参照しながら説明されたように、ＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０２１６】
[0212]ブロック２００５において、ＵＥ１１５は、フレームのサブフレーム中でＰＳＳおよびＳＳＳを受信し得、ＰＳＳがサブフレームの第１の複数の連続するシンボルの各々中で受信され、ＳＳＳがサブフレームの第２の複数の連続するシンボルの各々中で受信され、第２の複数の連続するシンボルがサブフレーム内の第１の複数の連続するシンボルの後にある。ブロック２００５の動作は、本明細書で説明された方法に従って実行され得る。いくつかの例では、ブロック２００５の動作の態様は、図１１〜図１４を参照しながら説明されたように、信号プロセッサによって実行され得る。
【０２１７】
[0213]ブロック２０１０において、ＵＥ１１５は、サブフレーム中で受信されたＰＳＳおよびＳＳＳに少なくとも部分的に基づいて基地局１０５と同期し得る。ブロック２０１０の動作は、本明細書で説明された方法に従って実行され得る。いくつかの例では、ブロック２０１０の動作の態様は、図１１〜図１４を参照しながら説明されたように、シンボル生成器によって実行され得る。
【０２１８】
[0214]図２１は、本開示の態様による、広帯域カバレージ拡張のための同期のための方法２１００を示すフローチャートを示す。方法２１００の動作は、本明細書で説明されたように、基地局１０５またはそれの構成要素によって実装され得る。たとえば、方法２１００の動作は、図１５〜図１８を参照しながら説明されたように、基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０２１９】
[0215]ブロック２１０５において、基地局１０５は、基地局に関連するセル識別子グループに少なくとも部分的に基づいてＳＳＳを生成し得る。ブロック２１０５の動作は、本明細書で説明される方法に従って実行され得る。いくつかの例では、ブロック２１０５の動作の態様は、図１５〜図１８を参照しながら説明されたように、シーケンス生成器によって実行され得る。
【０２２０】
[0216]ブロック２１１０において、基地局１０５は、フレームのサブフレーム中でＳＳＳおよびＰＳＳを送信し得、ＳＳＳは、ＰＳＳがその中で送信されるサブフレームのシンボルの後、および他の同期信号のセットがその中で送信されるサブフレームのシンボルのセットの後にある、サブフレームのシンボル中で送信される。ブロック２１１０の動作は、本明細書で説明された方法に従って実行され得る。いくつかの例では、ブロック２１１０の動作の態様は、図１５〜図１８を参照しながら説明されたように、ＳＳＳプロセッサによって実行され得る。
【０２２１】
[0217]図２２は、本開示の態様による、広帯域カバレージ拡張のための同期のための方法２２００を示すフローチャートを示す。方法２２００の動作は、本明細書で説明されたように、基地局１０５またはそれの構成要素によって実装され得る。たとえば、方法２２００の動作は、図１５〜図１８を参照しながら説明されたように、基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。
【０２２２】
[0218]ブロック２２０５において、基地局１０５は、基地局に関連するセル識別子グループに少なくとも部分的に基づいてＳＳＳを生成し得る。ブロック２２０５の動作は、本明細書で説明される方法に従って実行され得る。いくつかの例では、ブロック２２０５の動作の態様は、図１５〜図１８を参照しながら説明されたように、シーケンス生成器によって実行され得る。
【０２２３】
[0219]ブロック２２１０において、基地局１０５は、フレームのサブフレーム中でＳＳＳおよびＰＳＳを送信し得、ＰＳＳがサブフレームの第１の複数の連続するシンボルの各々中で送信され、ＳＳＳがサブフレームの第２の複数の連続するシンボルの各々中で送信され、第２の複数の連続するシンボルがサブフレーム内の第１の複数の連続するシンボルの後にある。ブロック２２１０の動作は、本明細書で説明される方法に従って実行され得る。いくつかの例では、ブロック２２１０の動作の態様は、図１５〜図１８を参照しながら説明されたように、ＳＳＳプロセッサによって実行され得る。
【０２２４】
[0220]上記で説明された方法は可能な実装形態を表すこと、動作およびステップが並べ替えられるかまたは場合によっては変更され得ること、ならびに他の実装形態が可能であることに留意されたい。さらに、方法のうちの２つまたはそれ以上からの態様が組み合わせられ得る。
【０２２５】
[0221]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標）：Global System for Mobile communications）などの無線技術を実装し得る。
【０２２６】
[0222]ＯＦＤＭＡシステムは、ウルトラモバイルブロードバンド（ＵＭＢ）、発展型ＵＴＲＡ（Ｅ−ＵＴＲＡ：Evolved UTRA）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、上述のシステムおよび無線技術、ならびに他のシステムおよび無線技術のために使用され得る。ＬＴＥまたはＮＲシステムの態様が例として説明され得、ＬＴＥまたはＮＲ用語が説明の大部分において使用され得るが、本明細書で説明された技法は、ＬＴＥまたはＮＲ適用例を越えて適用可能である。
【０２２７】
[0223]本明細書で説明されたそのようなネットワークを含むＬＴＥ／ＬＴＥ−Ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−ＡまたはＮＲネットワークを含み得る。たとえば、各ｅＮＢ、次世代ノードＢ（ｇＮＢ）、または基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る。
【０２２８】
[0224]基地局は、基地トランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、ｇＮＢ、リレー基地局などを含む様々なタイプの基地局およびネットワーク機器と通信することが可能であり得る。異なる技術のための重複する地理的カバレージエリアがあり得る。
【０２２９】
[0225]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセルおよびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【０２３０】
[0226]本明細書で説明された１つまたは複数のワイヤレス通信システムは、同期動作または非同期動作をサポートし得る。同期動作の場合、基地局は同様のフレームタイミングを有し得、異なる基地局からの送信は時間的に近似的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０２３１】
[0227]本明細書で説明されたダウンリンク送信は、順方向リンク送信と呼ばれることもあり、アップリンク送信は、逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。
【０２３２】
[0228]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０２３３】
[0229]添付の図では、同様の構成要素または特徴は同じ参照ラベルを有し得る。さらに、同じタイプの様々な構成要素は、参照ラベルの後に、ダッシュと、それらの同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０２３４】
[0230]本明細書で説明された情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２３５】
[0231]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０２３６】
[0232]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。また、本明細書で使用される、「に基づいて」という句は、条件（condition）の閉集合への参照と解釈されないものとする。たとえば、「条件（condition）Ａに基づいて」と説明される例示的なステップは、本開示の範囲から逸脱することなく条件（condition）Ａと条件（condition）Ｂの両方に基づき得る。言い換えれば、本明細書で使用される「に基づいて」という句は、「に少なくとも部分的に基づいて」という句と同様にして解釈されるものとする。
【０２３７】
[0233]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備え得る。また、任意の接続は、コンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０２３８】
[0234]本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されず、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
ユーザ機器（ＵＥ）によって、フレームのサブフレーム中で１次同期信号（ＰＳＳ）および２次同期信号（ＳＳＳ）を受信することと、
ここにおいて、前記ＳＳＳは、前記ＰＳＳがその中で受信される前記サブフレームのシンボルの後、および他の同期信号のセットがその中で受信される前記サブフレームのシンボルのセットの後にある、前記サブフレームのシンボル中で受信される、
前記ＵＥによって、前記サブフレーム中で受信された前記ＰＳＳおよび前記ＳＳＳに少なくとも部分的に基づいて基地局と同期することと
を備える、方法。
［Ｃ２］
前記フレームの他のサブフレーム中で前記ＰＳＳおよび前記ＳＳＳを受信すること
をさらに備え、
ここにおいて、前記ＳＳＳは、前記ＰＳＳがその中で受信される前記他のサブフレームのシンボルの前、および他の同期信号の前記セットがその中で受信される前記他のサブフレームのシンボルのセットの前にある、前記他のサブフレームのシンボル中で受信され、
ここにおいて、前記他のサブフレームが前記サブフレームの前にあり、
ここにおいて、前記ＵＥは、前記他のサブフレーム中で受信された前記ＰＳＳまたは前記ＳＳＳに少なくとも部分的に基づいて前記基地局と同期するように構成される、
Ｃ１に記載の方法。
［Ｃ３］
前記サブフレーム内で、
前記ＰＳＳおよび前記ＳＳＳがその中で受信される前記シンボルは、第１の特定のロケーションにあり、
他の同期信号の前記セットがその中で受信されるシンボルの前記セットは、第２の特定のロケーションにあり、
前記他のサブフレーム内で、
他の同期信号の前記セットがその中で受信されるシンボルの前記セットは、前記第１の特定のロケーションにあり、
前記ＰＳＳおよび前記ＳＳＳがその中で受信される前記シンボルは、前記第２の特定のロケーションにある、
Ｃ２に記載の方法。
［Ｃ４］
前記サブフレーム内で、
他の同期信号の前記セット中に含まれる、他のＰＳＳは、他の同期信号の前記セット中に含まれる、他のＳＳＳがその中で受信されるシンボルの前にある、前記第２の特定のロケーションにあるシンボル中で受信され、
前記他のサブフレーム内で、
他の同期信号の前記セット中に含まれる、前記他のＰＳＳは、他の同期信号の前記セット中に含まれる、前記他のＳＳＳがその中で受信されるシンボルの後にある、前記第１の特定のロケーションにあるシンボル中で受信される、
Ｃ３に記載の方法。
［Ｃ５］
前記フレームの他のサブフレーム中で前記ＰＳＳおよび前記ＳＳＳを受信すること
をさらに備え、
ここにおいて、前記ＳＳＳは、前記ＰＳＳがその中で受信される前記他のサブフレームのシンボルの後、および他の同期信号の前記セットがその中で受信される前記他のサブフレームのシンボルのセットの後にある、前記他のサブフレームのシンボル中で受信され、
ここにおいて、前記他のサブフレームが前記サブフレームの後にあり、
ここにおいて、前記ＵＥは、前記他のサブフレーム中で受信された前記ＰＳＳまたは前記ＳＳＳに少なくとも部分的に基づいて前記基地局と同期するように構成される、
Ｃ１に記載の方法。
［Ｃ６］
ワイヤレス通信のための方法であって、
基地局によって、前記基地局に関連するセル識別子グループに少なくとも部分的に基づいて２次同期信号（ＳＳＳ）を生成することと、
前記基地局によって、フレームのサブフレーム中で前記ＳＳＳおよび１次同期信号（ＰＳＳ）を送信することと、
ここにおいて、前記ＳＳＳは、前記ＰＳＳがその中で送信される前記サブフレームのシンボルの後、および他の同期信号のセットがその中で送信される前記サブフレームのシンボルのセットの後にある、前記サブフレームのシンボル中で送信される、
を備える、方法。
［Ｃ７］
前記フレームの他のサブフレーム中で前記ＰＳＳおよび前記ＳＳＳを送信すること
をさらに備え、
ここにおいて、前記ＳＳＳは、前記ＰＳＳがその中で送信される前記他のサブフレームのシンボルの前、および他の同期信号の前記セットがその中で送信される前記他のサブフレームのシンボルのセットの前にある、前記他のサブフレームのシンボル中で送信され、
ここにおいて、前記他のサブフレームが前記サブフレームの前にあり、
ここにおいて、ユーザ機器は、前記他のサブフレーム中で送信された前記ＰＳＳまたは前記ＳＳＳに少なくとも部分的に基づいて前記基地局と同期するように構成される、
Ｃ６に記載の方法。
［Ｃ８］
前記サブフレーム内で、
前記ＰＳＳおよび前記ＳＳＳがその中で送信される前記シンボルは、第１の特定のロケーションにあり、
他の同期信号の前記セットがその中で送信されるシンボルの前記セットは、第２の特定のロケーションにあり、
前記他のサブフレーム内で、
他の同期信号の前記セットがその中で送信されるシンボルの前記セットは、前記第１の特定のロケーションにあり、
前記ＰＳＳ前記ＳＳＳがその中で送信される前記シンボルは、前記第２の特定のロケーションにある、
Ｃ７に記載の方法。
［Ｃ９］
前記サブフレーム内で、
他の同期信号の前記セット中に含まれる、他のＰＳＳは、他の同期信号の前記セット中に含まれる、他のＳＳＳがその中で送信されるシンボルの前にある、前記第２の特定のロケーションにあるシンボル中で送信され、
前記他のサブフレーム内で、
他の同期信号の前記セット中に含まれる、前記他のＰＳＳは、他の同期信号の前記セット中に含まれる、前記他のＳＳＳがその中で送信されるシンボルの後にある、前記第１の特定のロケーションにあるシンボル中で送信される、
Ｃ８に記載の方法。
［Ｃ１０］
前記フレームの他のサブフレーム中で前記ＰＳＳおよび前記ＳＳＳを送信すること
をさらに備え、
ここにおいて、前記ＳＳＳは、前記ＰＳＳがその中で送信される前記他のサブフレームのシンボルの後、および他の同期信号の前記セットがその中で送信される前記他のサブフレームのシンボルのセットの後にある、前記他のサブフレームのシンボル中で送信され、
ここにおいて、前記他のサブフレームが前記サブフレームの後にあり、
ここにおいて、ユーザ機器は、前記他のサブフレーム中で送信された前記ＰＳＳまたは前記ＳＳＳに少なくとも部分的に基づいて前記基地局と同期するように構成される、
Ｃ６に記載の方法。
［Ｃ１１］
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
フレームのサブフレーム中で１次同期信号（ＰＳＳ）および２次同期信号（ＳＳＳ）を受信することと、
ここにおいて、前記ＳＳＳは、前記ＰＳＳがその中で受信される前記サブフレームのシンボルの後、および他の同期信号のセットがその中で受信される前記サブフレームのシンボルのセットの後にある、前記サブフレームのシンボル中で受信される、
前記サブフレーム中で受信された前記ＰＳＳおよび前記ＳＳＳに少なくとも部分的に基づいて前記装置を基地局と同期させることと
を行わせるように動作可能である、装置。
［Ｃ１２］
前記命令が、
前記フレームの他のサブフレーム中で前記ＰＳＳおよび前記ＳＳＳを受信する
ために前記プロセッサによってさらに実行可能であり、
ここにおいて、前記ＳＳＳは、前記ＰＳＳがその中で受信される前記他のサブフレームのシンボルの前、および他の同期信号の前記セットがその中で受信される前記他のサブフレームのシンボルのセットの前にある、前記他のサブフレームのシンボル中で受信され、
ここにおいて、前記他のサブフレームが前記サブフレームの前にあり、
ここにおいて、前記装置は、前記他のサブフレーム中で受信された前記ＰＳＳまたは前記ＳＳＳに少なくとも部分的に基づいて前記基地局と同期するように構成される、
Ｃ１１に記載の装置。
［Ｃ１３］
前記サブフレーム内で、
前記ＰＳＳおよび前記ＳＳＳがその中で受信される前記シンボルは、第１の特定のロケーションにあり、
他の同期信号の前記セットがその中で受信されるシンボルの前記セットは、第２の特定のロケーションにあり、
前記他のサブフレーム内で、
他の同期信号の前記セットがその中で受信されるシンボルの前記セットは、前記第１の特定のロケーションにあり、
前記ＰＳＳおよび前記ＳＳＳがその中で受信される前記シンボルは、前記第２の特定のロケーションにある、
Ｃ１２に記載の装置。
［Ｃ１４］
前記サブフレーム内で、
他の同期信号の前記セット中に含まれる、他のＰＳＳは、他の同期信号の前記セット中に含まれる、他のＳＳＳがその中で受信されるシンボルの前にある、前記第２の特定のロケーションにあるシンボル中で受信され、
前記他のサブフレーム内で、
他の同期信号の前記セット中に含まれる、前記他のＰＳＳは、他の同期信号の前記セット中に含まれる、前記他のＳＳＳがその中で受信されるシンボルの後にある、前記第１の特定のロケーションにあるシンボル中で受信される、
Ｃ１３に記載の装置。
［Ｃ１５］
前記命令が、
前記フレームの他のサブフレーム中で前記ＰＳＳおよび前記ＳＳＳを受信する
ために前記プロセッサによってさらに実行可能であり、
ここにおいて、前記ＳＳＳは、前記ＰＳＳがその中で受信される前記他のサブフレームのシンボルの後、および他の同期信号の前記セットがその中で受信される前記他のサブフレームのシンボルのセットの後にある、前記他のサブフレームのシンボル中で受信され、
ここにおいて、前記他のサブフレームが前記サブフレームの後にあり、
ここにおいて、前記装置は、前記他のサブフレーム中で受信された前記ＰＳＳまたは前記ＳＳＳに少なくとも部分的に基づいて前記基地局と同期するように構成される、
Ｃ１１に記載の装置。
［Ｃ１６］
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
基地局に関連するセル識別子グループに少なくとも部分的に基づいて２次同期信号（ＳＳＳ）を生成することと、
フレームのサブフレーム中で前記ＳＳＳおよび１次同期信号（ＰＳＳ）を送信することと、
ここにおいて、前記ＳＳＳは、前記ＰＳＳがその中で送信される前記サブフレームのシンボルの後、および他の同期信号のセットがその中で送信される前記サブフレームのシンボルのセットの後にある、前記サブフレームのシンボル中で送信される、
を行わせるように動作可能である、装置。
［Ｃ１７］
前記命令が、
前記フレームの他のサブフレーム中で前記ＰＳＳおよび前記ＳＳＳを送信する
ために前記プロセッサによってさらに実行可能であり、
ここにおいて、前記ＳＳＳは、前記ＰＳＳがその中で送信される前記他のサブフレームのシンボルの前、および他の同期信号の前記セットがその中で送信される前記他のサブフレームのシンボルのセットの前にある、前記他のサブフレームのシンボル中で送信され、
ここにおいて、前記他のサブフレームが前記サブフレームの前にあり、
ここにおいて、前記装置は、前記他のサブフレーム中で送信された前記ＰＳＳまたは前記ＳＳＳに少なくとも部分的に基づいて基地局と同期するように構成される、
Ｃ１６に記載の装置。
［Ｃ１８］
前記サブフレーム内で、
前記ＰＳＳおよび前記ＳＳＳがその中で送信される前記シンボルは、第１の特定のロケーションにあり、
他の同期信号の前記セットがその中で送信されるシンボルの前記セットは、第２の特定のロケーションにあり、
前記他のサブフレーム内で、
他の同期信号の前記セットがその中で送信されるシンボルの前記セットは、前記第１の特定のロケーションにあり、
前記ＰＳＳ前記ＳＳＳがその中で送信される前記シンボルは、前記第２の特定のロケーションにある、
Ｃ１７に記載の装置。
［Ｃ１９］
前記サブフレーム内で、
他の同期信号の前記セット中に含まれる、他のＰＳＳは、他の同期信号の前記セット中に含まれる、他のＳＳＳがその中で送信されるシンボルの前にある、前記第２の特定のロケーションにあるシンボル中で送信され、
前記他のサブフレーム内で、
他の同期信号の前記セット中に含まれる、前記他のＰＳＳは、他の同期信号の前記セット中に含まれる、前記他のＳＳＳがその中で送信されるシンボルの後にある、前記第１の特定のロケーションにあるシンボル中で送信される、
Ｃ１８に記載の装置。
［Ｃ２０］
前記命令が、
前記フレームの他のサブフレーム中で前記ＰＳＳおよび前記ＳＳＳを送信する
ために前記プロセッサによってさらに実行可能であり、
ここにおいて、前記ＳＳＳは、前記ＰＳＳがその中で送信される前記他のサブフレームのシンボルの後、および他の同期信号の前記セットがその中で送信される前記他のサブフレームのシンボルのセットの後にある、前記他のサブフレームのシンボル中で送信され、
ここにおいて、前記他のサブフレームが前記サブフレームの後にあり、
ここにおいて、前記装置は、前記他のサブフレーム中で送信された前記ＰＳＳまたは前記ＳＳＳに少なくとも部分的に基づいて前記基地局と同期するように構成される、
Ｃ１６に記載の装置。
［Ｃ２１］
ワイヤレス通信のためのコードを記憶する非一時的コンピュータ可読媒体であって、前記コードが、
フレームのサブフレーム中で１次同期信号（ＰＳＳ）および２次同期信号（ＳＳＳ）を受信することと、
ここにおいて、前記ＳＳＳは、前記ＰＳＳがその中で受信される前記サブフレームのシンボルの後、および他の同期信号のセットがその中で受信される前記サブフレームのシンボルのセットの後にある、前記サブフレームのシンボル中で受信される、
前記サブフレーム中で受信された前記ＰＳＳおよび前記ＳＳＳに少なくとも部分的に基づいてユーザ機器を基地局と同期させることと
を行うためにプロセッサによって実行可能な命令を備える、非一時的コンピュータ可読媒体。
［Ｃ２２］
前記命令が、
前記フレームの他のサブフレーム中で前記ＰＳＳおよび前記ＳＳＳを受信する
ために前記プロセッサによってさらに実行可能であり、
ここにおいて、前記ＳＳＳは、前記ＰＳＳがその中で受信される前記他のサブフレームのシンボルの前、および他の同期信号の前記セットがその中で受信される前記他のサブフレームのシンボルのセットの前にある、前記他のサブフレームのシンボル中で受信され、
ここにおいて、前記他のサブフレームが前記サブフレームの前にあり、
ここにおいて、前記ユーザ機器は、前記他のサブフレーム中で受信された前記ＰＳＳまたは前記ＳＳＳに少なくとも部分的に基づいて前記基地局と同期するように構成される、
Ｃ２１に記載の非一時的コンピュータ可読媒体。
［Ｃ２３］
前記サブフレーム内で、
前記ＰＳＳおよび前記ＳＳＳがその中で受信される前記シンボルは、第１の特定のロケーションにあり、
他の同期信号の前記セットがその中で受信されるシンボルの前記セットは、第２の特定のロケーションにあり、
前記他のサブフレーム内で、
他の同期信号の前記セットがその中で受信されるシンボルの前記セットは、前記第１の特定のロケーションにあり、
前記ＰＳＳおよび前記ＳＳＳがその中で受信される前記シンボルは、前記第２の特定のロケーションにある、
Ｃ２２に記載の非一時的コンピュータ可読媒体。
［Ｃ２４］
前記サブフレーム内で、
他の同期信号の前記セット中に含まれる、他のＰＳＳは、他の同期信号の前記セット中に含まれる、他のＳＳＳがその中で受信されるシンボルの前にある、前記第２の特定のロケーションにあるシンボル中で受信され、
前記他のサブフレーム内で、
他の同期信号の前記セット中に含まれる、前記他のＰＳＳは、他の同期信号の前記セット中に含まれる、前記他のＳＳＳがその中で受信されるシンボルの後にある、前記第１の特定のロケーションにあるシンボル中で受信される、
Ｃ２３に記載の非一時的コンピュータ可読媒体。
［Ｃ２５］
前記命令が、
前記フレームの他のサブフレーム中で前記ＰＳＳおよび前記ＳＳＳを受信する
ために前記プロセッサによってさらに実行可能であり、
ここにおいて、前記ＳＳＳは、前記ＰＳＳがその中で受信される前記他のサブフレームのシンボルの後、および他の同期信号の前記セットがその中で受信される前記他のサブフレームのシンボルのセットの後にある、前記他のサブフレームのシンボル中で受信され、
ここにおいて、前記他のサブフレームが前記サブフレームの後にあり、
ここにおいて、前記ユーザ機器は、前記他のサブフレーム中で受信された前記ＰＳＳまたは前記ＳＳＳに少なくとも部分的に基づいて前記基地局と同期するように構成される、
Ｃ２１に記載の非一時的コンピュータ可読媒体。
［Ｃ２６］
ワイヤレス通信のためのコードを記憶する非一時的コンピュータ可読媒体であって、前記コードが、
基地局に関連するセル識別子グループに少なくとも部分的に基づいて２次同期信号（ＳＳＳ）を生成することと、
フレームのサブフレーム中で前記ＳＳＳおよび１次同期信号（ＰＳＳ）を送信することと、
ここにおいて、前記ＳＳＳは、前記ＰＳＳがその中で送信される前記サブフレームのシンボルの後、および他の同期信号のセットがその中で送信される前記サブフレームのシンボルのセットの後にある、前記サブフレームのシンボル中で送信される、
を行うためにプロセッサによって実行可能な命令を備える、非一時的コンピュータ可読媒体。
［Ｃ２７］
前記命令が、
前記フレームの他のサブフレーム中で前記ＰＳＳおよび前記ＳＳＳを送信する
ために前記プロセッサによってさらに実行可能であり、
ここにおいて、前記ＳＳＳは、前記ＰＳＳがその中で送信される前記他のサブフレームのシンボルの前、および他の同期信号の前記セットがその中で送信される前記他のサブフレームのシンボルのセットの前にある、前記他のサブフレームのシンボル中で送信され、
ここにおいて、前記他のサブフレームが前記サブフレームの前にあり、
ここにおいて、ユーザ機器は、前記他のサブフレーム中で送信された前記ＰＳＳまたは前記ＳＳＳに少なくとも部分的に基づいて前記基地局と同期するように構成される、
Ｃ２６に記載の非一時的コンピュータ可読媒体。
［Ｃ２８］
前記サブフレーム内で、
前記ＰＳＳおよび前記ＳＳＳがその中で送信される前記シンボルは、第１の特定のロケーションにあり、
他の同期信号の前記セットがその中で送信されるシンボルの前記セットは、第２の特定のロケーションにあり、
前記他のサブフレーム内で、
他の同期信号の前記セットがその中で送信されるシンボルの前記セットは、前記第１の特定のロケーションにあり、
前記ＰＳＳ前記ＳＳＳがその中で送信される前記シンボルは、前記第２の特定のロケーションにある、
Ｃ２７に記載の非一時的コンピュータ可読媒体。
［Ｃ２９］
前記サブフレーム内で、
他の同期信号の前記セット中に含まれる、他のＰＳＳは、他の同期信号の前記セット中に含まれる、他のＳＳＳがその中で送信されるシンボルの前にある、前記第２の特定のロケーションにあるシンボル中で送信され、
前記他のサブフレーム内で、
他の同期信号の前記セット中に含まれる、前記他のＰＳＳは、他の同期信号の前記セット中に含まれる、前記他のＳＳＳがその中で送信されるシンボルの後にある、前記第１の特定のロケーションにあるシンボル中で送信される、
Ｃ２８に記載の非一時的コンピュータ可読媒体。
［Ｃ３０］
前記命令が、
前記フレームの他のサブフレーム中で前記ＰＳＳおよび前記ＳＳＳを送信する
ために前記プロセッサによってさらに実行可能であり、
ここにおいて、前記ＳＳＳは、前記ＰＳＳがその中で送信される前記他のサブフレームのシンボルの後、および他の同期信号の前記セットがその中で送信される前記他のサブフレームのシンボルのセットの後にある、前記他のサブフレームのシンボル中で送信され、
ここにおいて、前記他のサブフレームが前記サブフレームの後にあり、
ここにおいて、ユーザ機器は、前記他のサブフレーム中で送信された前記ＰＳＳまたは前記ＳＳＳに少なくとも部分的に基づいて前記基地局と同期するように構成される、
Ｃ２６に記載の非一時的コンピュータ可読媒体。
【図１】
0006825139.tif 000014
【図２】
0006825139.tif 000015
【図３】
0006825139.tif 000016
【図４】
0006825139.tif 000017
【図５】
0006825139.tif 000018
【図６】
0006825139.tif 000019
【図７Ａ】
0006825139.tif 000020
【図７Ｂ】
0006825139.tif 000021
【図８Ａ】
0006825139.tif 000022
【図８Ｂ】
0006825139.tif 000023
【図９】
0006825139.tif 000024
【図１０】
0006825139.tif 000025
【図１１】
0006825139.tif 000026
【図１２】
0006825139.tif 000027
【図１３】
0006825139.tif 000028
【図１４】
0006825139.tif 000029
【図１５】
0006825139.tif 000030
【図１６】
0006825139.tif 000031
【図１７】
0006825139.tif 000032
【図１８】
0006825139.tif 000033
【図１９】
0006825139.tif 000034
【図２０】
0006825139.tif 000035
【図２１】
0006825139.tif 000036
【図２２】
0006825139.tif 000037